(57)【要約】  本発明に係る表示装置は、地図と、当該地図内の１以上の位置情報それぞれと対応付けられている対応情報とを記憶しており、記憶されている地図をディスプレイに表示して、地図が表示されているディスプレイ領域のうち、所定の大きさの1以上の領域を選択して、選択された領域に表示されている地図内の位置情報と対応付けられている対応情報を地図に重ねて表示する。
2009041042.tif 000002
【特許請求の範囲】
【請求項１】
地図と、当該地図内の１以上の位置情報それぞれと対応付けられている対応情報とを記憶する記憶手段と、
前記記憶手段に記憶されている地図をディスプレイに表示する地図表示手段と、
前記地図表示手段で地図が表示されているディスプレイ領域のうち、所定の大きさの領域を、ユーザの操作に応じて選択する選択手段と、
前記選択手段で選択された領域に表示されている地図内の位置情報と対応付けられている対応情報を当該地図に重ねて表示する情報表示手段と
を備えることを特徴とする表示装置。
【請求項２】
前記表示装置は、更に、前記地図表示手段で地図が表示されているディスプレイ領域が予め分割されて成る複数の領域のうち、1以上の領域をユーザ操作に応じて指示する指示手段を備え、
前記指示手段は、前記ユーザ操作が指示する方向に応じて、現在指示している領域に代わって、当該領域に対して前記方向に隣接する領域を指示し、
前記選択手段は、ユーザの操作に応じて、前記指示手段で指示されている領域を選択する
ことを特徴とする請求項１に記載の表示装置。
【請求項３】
前記情報表示手段は、前記選択手段で選択された領域に表示されている地図内の位置情報と対応付けられている対応情報を、当該選択された領域に重ねて表示する
ことを特徴とする請求項２に記載の表示装置。
【請求項４】
前記選択手段で選択された領域に表示されている地図内の位置情報と対応付けられている対応情報は複数あり、
前記表示装置は、更に、外部から対応情報を切替える指示を取得する切替指示取得手段を備え、
前記情報表示手段は、前記対応情報を表示しているときに前記切替取得手段で指示を取得した場合は、前記選択手段で選択された領域に表示されている地図内の位置情報と対応付けられている他の対応情報を表示する
ことを特徴とする請求項３に記載の表示装置。
【請求項５】
前記指示手段で指示する予め分割された領域とは、前記地図表示手段で表示している地図に基づいた多角形の領域である
ことを特徴とする請求項４に記載の表示装置。
【請求項６】
前記多角形の領域とは、地図内の道路に囲まれた領域である
ことを特徴とする請求項５に記載の表示装置。
【請求項７】
前記指示手段で指示されている領域とは、前記ディスプレイ領域が格子状に分割された矩形の領域である
ことを特徴とする請求項２に記載の表示装置。
【請求項８】
前記表示装置は、更に、表示されている地図内の経路を指定する経路指定手段を備え、
前記所定の大きさの領域とは、前記経路指定手段で指定した経路で示される道路及び当該道路に沿った所定幅の領域である
ことを特徴とする請求項１に記載の表示装置。
【請求項９】
前記情報表示手段で表示する対応情報は、前記位置情報で示される位置に在る店舗の広告である
ことを特徴とする請求項１に記載の表示装置。
【請求項１０】
前記選択手段は、複数の前記領域を選択し、
前記指示手段は、前記選択されたすべての領域に表示されている地図内の位置情報と対応付けられている対応情報を表示する
ことを特徴とする請求項１に記載の表示装置。
【請求項１１】
地図と、当該地図内の１以上の位置情報それぞれと対応付けられている対応情報とを記憶する記憶手段を備える表示装置で用いられる表示方法であって、
前記記憶手段に記憶されている地図をディスプレイに表示する地図表示ステップと、
前記地図表示ステップで地図が表示されているディスプレイ領域のうち、所定の大きさの領域を、ユーザの操作に応じて選択する選択ステップと、
前記選択ステップで選択された領域に表示されている地図内の位置情報と対応付けられている対応情報を当該地図に重ねて表示する情報表示ステップと
を備えることを特徴とする表示方法。
【発明の詳細な説明】
【技術分野】
【０００１】
本発明は、地図と地図内の位置に関連付けられた情報とを表示する表示装置に関し、特に、地図内の位置を特定する方法及び情報を表示する方法に関する。
【背景技術】
【０００２】
近年、民生用家電機器（以下、「ＣＥ機器」という。）、例えば、テレビなどの表示装置、ＤＶＤやブルーレイディスクなどの光ディスク録画・再生装置などが、ネットワーク接続機能を備えるようになってきている。【０００３】
というのは、インターネットユーザの増大によるネットワークの緻密化や、ＸＭＬ（eXtensible Markup Language）等を使ったネットワークコンテンツの構造化といった環境変化が活発に進行し、様々なサービスが提供されるようになってきているからである。すなわち、このような様々なサービスの提供が、パソコン等のいわゆる情報機器以外の、従来のＣＥ機器においても行われつつあるからである。【０００４】
このようなサービスの一つとして、地図表示サービスがある。この地図表示サービスとは、表示されている地図のある地点を指定すると、その地点と関連付けられ、位置情報と対応付けられている対応情報（以下、「メタ情報」という。）、例えば、その地点の地域名称、その地点に存在する建物の名称、そこに存在する商業施設の名称などが表示されるものである。【０００５】
ここで、従来の代表的な地図表示サービスの例を図２３を用いて簡単に説明する。このサービスは、ブラウザアプリケーション上で実現されているもので、ＰＣなど、ネットワーク接続されブラウザを搭載する機器で実施される。【０００６】
例えば、ユーザは、表示画面１０１のテキストボックス１０２に、「大阪」「書籍」などと複数の検索用キーワードを入力すると、大阪周辺の地図が地図画面１０３に表示されると共に、その地図上で「書籍」と関係するメタ情報が関連付けられている位置、「Ａ」（１０４）、「Ｂ」などが地図上に表示される。【０００７】
さらに、従来のサービスでは、キーワードを元にした検索ランキングと連動させたメタ情報の表示サービスが実現されている。【０００８】
図２３の情報画面１０５は、メタ情報の表示サービスの具体例である。【０００９】
情報画面１０５には、地図内の位置に関連付けされたメタ情報、例えば広告画像１０６や、その位置に存在する店舗・施設のサイトへと誘導するリンク、すなわち、ＵＲＬ（Uniform Resource Locator）１０７が検索ランキング順に表示される。このランキングは、メタ情報を蓄積するサービス側が、独自の評価アルゴリズムを用いて決定している。【００１０】
図２３を用いて説明した地図表示サービスの例は、ＰＣなどの情報機器において実現されているサービスであるが、ＣＥ機器においても、ネットワーク接続機能を有することで、同様の地図表示サービスを行うことが可能となる。【００１１】
しかし、ＣＥ機器は、ＰＣなどの情報機器と異なり、マウスなどのポインティングデバイスを備えておらず、また、表示画面の画素数も少ないものが多い。【００１２】
すなわち、テレビや録画・再生装置などでは、いわゆるリモコンを備えているのみであり、リモコンでは、マウスのように、画面に表示されている地図の特定の領域や位置をダイレクトに指定することは難しく、また、表示画面の画素数が少ないことから、地図画面と情報画面とを並べて表示することは視認性の点から現実的ではない場合が多い。【００１３】
ここで、ＣＥ機器の一つであるテレビ受像機において、リモコンを用いて地図情報を参照する技術がある（特許文献１参照）。【００１４】
この技術では、地図画面上に配置したアイコンを次々選択していくことにより、すなわち、従来型の階層型メニューを選択していく方式で、メタ情報を画面に表示する。【００１５】
この技術によれば、ユーザはリモコンを用いて、表示されている地図内の位置に関連付けられているメタ情報を表示させることが可能となる。
【特許文献１】国際公開第ＷＯ０１／０３００７５号パンフレット
【発明の開示】
【発明が解決しようとする課題】
【００１６】
しかし、この技術では、リモコンを用いてメタ情報を表示させることはできるものの、ユーザは、次々とアイコンを選択する必要があり、ユーザビリティの面で難がある。また、この技術では、メタ情報を地図とは別に表示することから、画素数が小さい画面の場合には、視認性の点で問題が残る。【００１７】
そこで、本発明は、リモコンのような単純なインタフェースによっても地図内の位置を容易に指定できるような地図を表示し、画素数が小さい画面であっても、視認性に問題が無いような表示方法でメタ情報を表示する地図表示装置の提供を目的とする。
【課題を解決するための手段】
【００１８】
上記目的を達成するために、本発明に係る地図表示装置は、地図と、当該地図内の１以上の位置情報それぞれと対応付けられている対応情報とを記憶する記憶手段と、前記記憶手段に記憶されている地図をディスプレイに表示する地図表示手段と、前記地図表示手段で地図が表示されているディスプレイ領域のうち、所定の大きさの領域を、ユーザの操作に応じて選択する選択手段と、前記選択手段で選択された領域に表示されている地図内の位置情報と対応付けられている対応情報を当該地図に重ねて表示する情報表示手段とを備えることを特徴とする。
【発明の効果】
【００１９】
上記構成の地図表示装置は、ユーザ操作に応じて地図が表示されているディスプレイ領域のうちから所定の大きさの領域を選択できるので、その選択された領域の対応情報を表示することができ、対応情報を地図に重ねて表示するので小さい画面であっても対応情報を見やすく表示することが可能となる。【００２０】
また、前記表示装置は、更に、前記地図表示手段で地図が表示されているディスプレイ領域が予め分割されて成る複数の領域のうち、1以上の領域をユーザ操作に応じて指示する指示手段を備え、前記指示手段は、前記ユーザ操作が指示する方向に応じて、現在指示している領域に代わって、当該領域に対して前記方向に隣接する領域を指示し、前記選択手段は、ユーザの操作に応じて、前記指示手段で指示されている領域を選択することとしてもよい。【００２１】
これにより、地図が表示されているディスプレイ領域を分割しているので、分割された領域を指定することで地図の位置を指定することができる。例えばリモコンの上下左右の方向指示ボタンによって、指示する領域の変更を容易にし、簡単に領域の選択を行うことができるようになる。言い換えれば、ＣＥ機器のリモコンのような単純な家電インタフェースによっても、簡単に領域の選択を行うことができるようになる。【００２２】
すなわち、地図情報とそれに関連付けされた対応情報の表示・参照といったサービスを、限られたインタフェースによって実現することができ、従来のＣＥ機器のような機能的に汎用性を欠くインタフェースリモコンであっても、同サービスを高いユーザビリティを保ったまま実現できるようになる。【００２３】
また、前記情報表示手段は、前記選択手段で選択された領域に表示されている地図内の位置情報と対応付けられている対応情報を、当該選択された領域に重ねて表示することとしてもよい。【００２４】
これにより、位置情報と対応付けられている対応情報を選択領域に重ねて表示するので、画面内に地図以外の表示領域を別個に用意することなく、対応情報をユーザに提示することが可能になる。【００２５】
また、前記選択手段で選択された領域に表示されている地図内の位置情報と対応付けられている対応情報は複数あり、前記表示装置は、更に、外部から対応情報を切替える指示を取得する切替指示取得手段を備え、前記情報表示手段は、前記対応情報を表示しているときに前記切替取得手段で指示を取得した場合は、前記選択手段で選択された領域に表示されている地図内の位置情報と対応付けられている他の対応情報を表示することとしてもよい。【００２６】
これにより、切替え指示、例えば、リモコンの特定のボタンの押下を取得すれば、表示される対応情報は連続的に切り替わっていき、従来のようにポインティングデバイスで指定したり、リストをスクロールさせて表示させるような複雑度の高い操作なしで、単純なインタフェースにより複数のメタ情報の参照を可能にする。【００２７】
また、地図の特定領域に対応情報が密集している場合も、対応情報を取得したい地図上の領域を指定して、順番に対応情報を表示することで、簡単な操作で効率よく対応情報を参照することができるようになる。【００２８】
さらに、対応情報を選択した地図の領域に一致させ、対応情報の切替指示をユーザ入力により行うことで、地図情報の中に存在する対応情報をユーザ操作により直に探索していく、ある種の遊戯的な感覚をユーザに与えることができるという利点もある。【００２９】
また、前記指示手段で指示する予め分割された領域とは、前記地図表示手段で表示している地図に基づいた多角形の領域であることとしてもよい。【００３０】
また、前記多角形の領域とは、地図内の道路に囲まれた領域であることとしてもよい。【００３１】
また、前記指示手段で指示されている領域とは、前記ディスプレイ領域が格子状に分割された矩形の領域であることとしてもよい。【００３２】
また、前記表示装置は、更に、表示されている地図内の経路を指定する経路指定手段を備え、前記所定の大きさの領域とは、前記経路指定手段で指定した経路で示される道路及び当該道路に沿った所定幅の領域であることとしてもよい。【００３３】
これにより、領域の形状を異ならせることで、目的に応じた領域を選択することができるようになる。例えば、カーナビの地図においては、道路沿い領域を選択できるようにするなどである。【００３４】
また、前記情報表示手段で表示する対応情報は、前記位置情報で示される位置に在る店舗の広告であることとしてもよい。【００３５】
これにより、地図内の領域の選択が容易になり、選択された領域内の店舗の広告を表示することができるようになる。【００３６】
また、前記選択手段は、複数の前記領域を選択し、前記指示手段は、前記選択されたすべての領域に表示されている地図内の位置情報と対応付けられている対応情報を表示することとしてもよい。【００３７】
これにより、地図内の複数の領域の選択が可能となり、ユーザの所望する広い領域の対応情報を表示することができるようになる。
【図面の簡単な説明】
【００３８】
【図１】実施形態１のテレビ１００の構成を示す機能ブロック図である。
【図２】リモコンとディスプレイを示す図である。
【図３】地図が表示されている画面を示す図である。
【図４】地図が表示されている画面の１分割領域をフォーカスしている場合を示す図である。
【図５】画面２０１の分割領域のフォーカス及びメタ情報の表示の遷移を示す図である。
【図６】画面２０１のメタ情報の表示の遷移を示す図である。
【図７】領域分割情報１２１０の構成及び内容例を示す図である。
【図８】メタ情報の構成及び内容例を示す図である。
【図９】地図表示処理をあらわすフローチャートである。
【図１０】メタ情報の表示処理をあらわすフローチャートである。
【図１１】メタ情報とランダム情報を表示する図である。
【図１２】変形例における、メタ情報表示処理をあらわすフローチャートである。
【図１３】市街地の区画を分割領域として表示した図である。
【図１４】経路の周辺を分割領域として表示した図である。
【図１５】実施形態２のテレビ１００の構成を示す機能ブロック図である。
【図１６】領域分割情報１２２０の構成及び内容例を示す図である。
【図１７】分割領域が重なる例を示す図である。
【図１８】分割領域が円形の例を示す図である。
【図１９】分割領域が複数フォーカスされる例を示す図である。
【図２０】メタ情報を隣接する分割領域に重ねて表示する例を示す図である。
【図２１】メタ情報を噴出しで表示する例を示す図である。
【図２２】メタ情報を別のディスプレイに表示する例を示す図である。
【図２３】従来の地図表示サービスの例を示す図である。
【符号の説明】
【００３９】
１００  ５００  テレビ
２００    ディスプレイ
３００    リモコン
１０００  表示制御分
１１００  地図表示部
１２００  ５２００  領域分割部
１３００  ５３００  指示領域表示部
１４００  操作検出部
１５００  メタ情報表示部
１６００  ビデオ表示制御部
２０００  地図情報記憶部
２１００  ５１００  領域情報記憶部
２２００  メタ情報記憶部
【発明を実施するための最良の形態】
【００４０】
＜実施形態１＞
＜概要＞
従来のＣＥ機器のインタフェースであるリモコンは、通常、ある機能の実施に特化したボタン、例えば、チャンネルを選択するボタンと、上下左右などの方向を逐次的に入力するボタンとのみを備えるものであり、機能的には汎用性を欠くものである。具体的には、図２示すように、リモコン３００は、「１」、「２」などのチャンネルボタンと、方向指示ボタン（３０１、３０２、３０３、３０４）と決定ボタン３０５とを備える。【００４１】
従って、前述の図２３で説明したような、地図表示サービスで地図上の特定の領域や位置をダイレクトに指定することは難しい。つまり、マウスなどのポインティングデバイスを前提にしたＰＣなどの情報機器であれば、ポインタの位置によって自然に且つダイレクトに所望の領域を指定することができるが、限られたボタンしか備えないリモコンでこれを行うことは困難である。【００４２】
また、同様に、メタ情報として示されたＵＲＬを指定するなど、特定の位置に表示された情報を指定して操作を行うことも、リモコンでは難しい。【００４３】
さらに、画面サイズが小さい、すなわち、画素数が少ない表示画面では、スクロールバーなどを利用してメタ情報の一部のみを表示する方法もあるが、指定に必要なアイコンなどを画面上に表示する必要が生じたり、操作が煩雑となるなど不都合が多い。【００４４】
本発明にかかる地図表示装置は、表示されている地図内の領域や位置をリモコンを用いたとしても容易に指定できるような方法で、地図を表示する点に特徴がある。すなわち、マウスなどのポインティングデバイスとリモコンとの操作性の相違を考慮して、リモコンの操作方法に合致するような方法で地図を表示する。【００４５】
具体的には、図３に示すディスプレイ２００の地図が表示されている画面２０１を、図４に示すように、複数の領域に分割する。そして、リモコンの方向指示ボタン（３０１、３０２、３０３、３０４）を押下することにより、当該領域を順にカーソルが移動するようにフォーカス３０００し、その領域を決定ボタン３０５を押下することにより、地図内の特定の領域を選択するものである。【００４６】
また、同様に、メタ情報の表示やＵＲＬの指定なども、リモコンの操作方法に合致するような方法で行う点に特徴がある。【００４７】
具体的には、選択された領域内の位置に関連付けられているメタ情報を、並べて表示するのではなく、例えば、一つずつ順に地図に重ねて表示することにより、画面サイズが小さい場合であってもメタ情報を容易に理解することができるようにしている。【００４８】
＜リモコンを用いた地図領域の選択方法＞
ここで、本発明に係る地図表示装置における、リモコンを用いた地図内の特定領域を選択する方法と、メタ情報の表示方法について、図５と図６とを用いて、簡単に説明する。【００４９】
図５は、画面２０１の遷移を表す。画面２０１は、白抜き矢印の順に遷移するものとし、白ぬき矢印の下の図は、リモコンの方向指示ボタンと決定ボタンを示し、黒塗りのボタンが押下されたボタンを示す。以下、方向指示ボタンと決定ボタンとをまとめて指す場合は、「リモコンボタン」というものとする。【００５０】
また、画面２０１には地図が表示されているものとし、格子状に領域が分割されているものとする。ここでは、説明の便宜上、点線で分割された領域の境界が示されているが、実際には、この境界は表示してもしなくてもよい。【００５１】
図６は、メタ情報の遷移を示す図であり、ここでは、メタ情報は領域内に存在する店舗の広告であり、４つのメタ情報（３００５、３００６、３００７、３００８）が順に、同じ領域に表示される様子を表す。【００５２】
まず、図５の、左上の画面２０１において領域３００１がフォーカスされている。ここで、上方向指示ボタンを押下すると（リモコンボタン３２０１参照）、領域３００１の上の領域３００２がフォーカスされる。次に、右方向指示ボタンを押下すると（リモコンボタン３２０２参照）、領域３００２の右の領域３００３がフォーカスされる。同様に、さらに右方向指示ボタンを押下すると（リモコンボタン３２０３参照）、領域３００３の右の領域３００４がフォーカスされる。【００５３】
このとき、決定ボタンを押下すると（リモコンボタン３２０４参照）、領域３００４内の位置に関連付けられているメタ情報、ここでは「広告Ａ（３００５）」が、領域３００４に重ねて表示される（図６のメタ情報３００５参照）。【００５４】
さらに決定ボタンを押下すると（リモコンボタン３２０５参照）、領域３００４内の位置に関連付けられている別のメタ情報、ここでは「広告Ｂ（３００６）」が、領域３００４に重ねて表示される（図６メタ情報３００６参照）。【００５５】
「広告Ｂ（３００６）」が表示されている時に、チャンネルボタン「１」を押下すると（チャンネルボタン３２０６参照）、「広告Ｂ（３００６）」に関連するＵＲＬ画面（３０２０）が表示される。例えば、「広告Ｂ」を出している店舗のホームページなどが表示される。【００５６】
次に、また決定ボタンを押下すると（リモコンボタン３２０７参照）、領域３００４内の位置に関連付けられている別のメタ情報、ここでは「広告Ｃ（３００７）」が、領域３００４に重ねて表示される（図６メタ情報３００７参照）。【００５７】
ここで、左方向指示ボタンを押下すると（リモコンボタン３２０８参照）、領域３００４の左の領域３０１０がフォーカスされる。このときには、領域３００４に重ねて表示された「広告Ｃ（３００７）」は消去され、地図が表示される。【００５８】
このように、方向指示ボタンと決定ボタンとで、地図の特定領域を選択し、メタ情報を順次表示し、メタ情報と関連するＵＲＬ画面を表示する。【００５９】
以下、本発明の地図表示装置の実施形態例であるテレビについて、図を用いて説明する。【００６０】
＜構成＞
図１は、テレビ１００の構成を示す機能ブロック図である。【００６１】
テレビ１００は、液晶ディスプレイなどのディスプレイ２００、表示制御部１０００、地図表示部１１００、領域分割部１２００、指示領域表示部１３００、操作検出部１４００、インターネット９００と接続する機能を備えるメタ情報表示部１５００、地図情報記憶部２０００、領域情報記憶部２１００及びメタ情報記憶部２２００とで構成される。【００６２】
また、テレビ１００の外部に、ユーザとのインタフェース装置であるリモコン３００を備える。【００６３】
本機能ブロック図では、本発明に関連する機能ブロックのみを記載するものとし、テレビ１００の本来の機能、例えば、テレビ映像信号の受信機能などは図示していない。【００６４】
まず、表示制御部１０００は、地図やメタ情報の表示制御を行う機能を有する。具体的には、操作検出部１４００の検出したリモコンの操作を解析し、地図を表示したり、指示された領域をフォーカスしたり等の制御を行う。【００６５】
地図表示部１１００は、表示制御部１０００の指示により、地図情報記憶部２０００から地図情報を読み出して、表示制御部１０００を介してディスプレイ２００に表示する機能を有する。また、地図表示部１１００は、地図を表示する際に、表示する地図の緯度と経度とを領域分割部１２００に渡す機能を有する。【００６６】
領域分割部１２００は、ディスプレイ２００の画面と表示する地図とを対応付ける機能を有する。具体的には、まず、領域分割部１２００は、予め決められている分割方式で、ディスプレイ２００の画面を複数領域に分割する。以下、この分割された領域を「分割領域」というものとする。本実施形態では、格子状に分割するものとする。【００６７】
この領域分割部１２００は、各分割領域のスクリーン座標と、地図表示部１１００から受け取った地図の緯度経度との対応付けを行い、領域分割情報として領域情報記憶部２１００に記憶する。記憶する領域分割情報は、＜データ＞の項で説明する。【００６８】
次に、指示領域表示部１３００は、表示制御部１０００からの指示を受けて、分割領域にフォーカスを移動する機能を有する。ここで、フォーカスとは、ユーザによって指示された分割領域を、ユーザが視認できるように領域を目立たせることをいうものとする。本実施形態では、分割領域の周囲を太線で示すものとするが、他の方法であってもよい。【００６９】
操作検出部１４００は、リモコン３００に対してユーザが行った操作を取得し、表示制御部１０００に通知する機能を有する。【００７０】
メタ情報表示部１５００は、表示制御部１０００からの依頼により、メタ情報記憶部２２００から、該当するメタ情報を読み出して、表示制御部１０００を介して表示する機能を有する。また、メタ情報表示部１５００は、表示制御部１０００からの依頼により、現在表示しているメタ情報に関連するＵＲＬ画面を表示する機能も有する。【００７１】
地図情報記憶部２０００は、地図情報を記憶する機能を有し、メタ情報記憶部２２００は、メタ情報を記憶する機能を有する。これらの地図情報とメタ情報とは、インターネットを介して逐次新しいものに更新されているものとする。また、必要に応じて、適時、インターネットを介してデータを取得するものとする。この時、ネットワークの接続インタフェース、およびデータ取得時のプロトコル等は任意の方式であってよい。【００７２】
また、地図情報は、地図上の任意の位置の描画箇所の場所を特定できる位置データ（例えば、緯度と経度の組み合わせ）を含んでいる。例えば、地図情報に含まれる画像のビットマップデータまたはベクトルデータの描画単位と組になって、その画像の位置を特定する緯度・経度のデータを含んで構成される。【００７３】
領域情報記憶部２１００は、領域分割情報を記憶する機能を有する。【００７４】
ここで、表示制御部１０００等の各部による各処理の全部または一部は、ＣＰＵ（図示していない。）が各種プログラムを実行することにより実現されるものである。【００７５】
＜データ＞
以下、テレビ１００で用いる主なデータについて、図７と図８とを用いて説明する。【００７６】
図７は、領域分割情報１２１０の構成及び内容例を示す図である。【００７７】
この領域分割情報１２１０は、領域情報記憶部２１００に記憶されている情報であり、領域分割部１２００によって作成され記憶される。【００７８】
領域分割情報１２１０は、各分割領域のスクリーン座標と緯度経度とを対応付けるものであり、スクリーン座標は分割領域をフォーカスする場合に使用され、緯度経度は分割領域内のメタ情報を検索する場合に使用される。【００７９】
従って、領域分割部１２００は、この領域分割情報１２１０を、地図表示部１１００から緯度経度を渡されて作成依頼を受ける都度に作成し、地図表示部１１００は、ディスプレイ２００の画面２０１に表示する地図が変わる都度に、その緯度経度を領域分割部１２００に渡して作成依頼をする。【００８０】
本実施形態では、ディスプレイ２００の画面２０１を、格子状に２０個の領域に分割するものとし（図４等参照）、各分割領域のスクリーン座標は予め定められているものとする。【００８１】
領域分割情報１２１０は、領域ＩＤ１２１１、左上スクリーン座標１２１２、右下スクリーン座標１２１３、左上緯度経度１２１４及び右下緯度経度１２１５で構成される。【００８２】
領域ＩＤ１２１１は、分割領域の識別子であり、本実施形態の場合、一段目の左端の分割領域から右に「ＩＤ１」、「ＩＤ２」〜「ＩＤ５」、２段目の左端の分割領域から右に「ＩＤ６」〜「ＩＤ１０」となり、最後は「ＩＤ２０」となるものとする。【００８３】
左上スクリーン座標１２１２と右下スクリーン座標１２１３は、分割領域のスクリーン座標をそれぞれ示す。画面２０１の左上の角を、座標値（０，０）とした座標である。以下、左上スクリーン座標１２１２と右下スクリーン座標１２１３とを総称する場合は、「分割領域のスクリーン座標」というものとする。【００８４】
また、左上緯度経度１２１４と右下緯度経度１２１５は、分割領域の緯度経度をそれぞれ示す。以下、これらを総称する場合は、「分割領域の緯度経度」というものとする。【００８５】
例えば、図７の下の図は、ディスプレイ２００を表し、この図では、領域ＩＤ「ＩＤ７」の分割領域のスクリーン座標と分割領域の緯度経度を示している。領域ＩＤ「ＩＤ７」で示される分割領域のスクリーン座標は「(Lx7,Ly7)(Rx7,Ry7)」、分割領域の緯度経度は「(LLAT7,LLNG7)(RLAT7,RLNG7)」であることを示している。【００８６】
次に、図８は、メタ情報群２２０１の構成及び内容例を示す図である。【００８７】
このメタ情報群２２０１は、メタ情報記憶部２２００に記憶されている情報であり、メタ情報表示部１５００により参照され画面２０１に表示される。このメタ情報２２０１は、インターネットを介して随時更新されている。【００８８】
メタ情報２２０１群は、複数のメタ情報２２１０で構成されており、メタ情報２２１０はそれぞれ地図の位置と関連付けられている。【００８９】
メタ情報２２１０は、広告ＩＤ２２１１、緯度２２１２、経度２２１３、表示画像２２１４及びＵＲＬ２２１５で構成される。【００９０】
広告ＩＤ２２１１は、メタ情報の識別子であり、本実施形態ではメタ情報は店舗等の広告であるものとする。メタ情報は広告以外のものであってもよい。【００９１】
緯度２２１２と経度２２１３は、メタ情報が対応付けられている地図内の位置を示している。本実施形態では、メタ情報は店舗等の広告であることから、緯度２２１２と経度２２１３は店舗の位置を示すことになる。【００９２】
表示画像２２１４は、ディスプレイ２００に表示する表示画像を示し、実際には、ＪＰＥＧ等の形式の画像データが記憶されている。ここでは、説明の便宜上、表示される画像を記載している。【００９３】
ＵＲＬ２２１５は、メタ情報と関連するＵＲＬであり、本実施形態では、例えば、店舗のホームページ等のＵＲＬである。【００９４】
＜動作＞
以下、本発明に係るテレビ１００の動作について図９と図１０とを用いて説明する。【００９５】
図９は、地図の表示処理を表すフローチャートである。【００９６】
まず、ユーザは、リモコン３００の地図表示ボタンを押下する。【００９７】
地図表示ボタンが押下されたことを検知した操作検知部１４００は、その旨を表示制御部１０００に通知する（ステップＳ１００）。【００９８】
通知を受けた表示制御部１０００は、地図表示部１１００に地図を表示するよう依頼する。どの地域の地図を表示するかは、本実施形態では、予め決められているものとする。尚、これに限られず、ユーザが指定することとしてもよく、また、テレビ等の地図表示装置がＧＰＳを備えて自装置の近辺の地図を表示することと等としてもよい。【００９９】
地図の表示依頼を受けた地図表示部１１００は、地図情報記憶部２０００から該当する地図を読み出して、表示制御部１０００を介してディスプレイ２００に表示する（ステップＳ１１０）。【０１００】
地図を表示すると同時に、地図表示部１１００は表示する地図の緯度経度を領域分割部１２００に渡して領域の分割を依頼する。表示する地図の緯度経度は、地図情報記憶部２０００に地図の図形情報とともに記憶されているものとする。【０１０１】
分割の依頼を受けた領域分割部１２００は、受け取った緯度経度から、各分割領域のスクリーン座標に対応する緯度経度を求め、領域分割情報１２１０を作成し、作成した領域分割情報１２１０を、領域情報記憶部２１００に記憶する（ステップＳ１２０）。【０１０２】
表示制御部１０００は、地図をディスプレイ２００に表示したら、指示領域表示部１３００に開始位置の分割領域のフォーカスを依頼する。【０１０３】
依頼を受けた指示領域表示部１３００は、地図が表示されている画面２０１の中央の座標を含む分割領域を、領域情報記憶部１２００に記憶されている領域分割情報１２１０を参照して決定し、その分割領域を表示制御部１０００を介してフォーカスする（ステップＳ１３０）。具体的には、分割領域のスクリーン座標を表示制御部１０００に渡し、表示制御部１０００は、受け取ったスクリーン座標からディスプレイ２００に太線の矩形を表示する（図５の分割領域３００１参照）。【０１０４】
また、指示領域表示部１３００は、フォーカスしている分割領域の領域ＩＤ１２１１を、内部の作業領域に記憶しているものとする。【０１０５】
次に操作検出部１４００が、ユーザの操作を検出すると、検出した操作、具体的には、どのボタンが押下されたのかを表示制御部１０００に通知する。【０１０６】
通知を受けた表示制御部１０００は、押下されたボタンが、方向指示ボタン（３０１、３０２、３０３、３０４）のいずれかである場合には（ステップＳ１４０：移動）、指示領域表示部１３００にフォーカスを変更するよう指示する。【０１０７】
指示を受けた指示領域表示部１３００は、方向指示ボタンの種類、すなわち上下左右の指示に応じて、現在フォーカスしている分割領域に隣接する分割領域を決定し、その分割領域を表示制御部１０００を介してフォーカスする（ステップＳ１６０）。【０１０８】
一方、押下されたボタンが決定ボタン３０５であった場合には（ステップＳ１４０：決定）、現在フォーカスされている分割領域のメタ情報の表示処理を行う（ステップＳ１５０）。この処理については、図１０を用いて後で説明する。【０１０９】
また、押下されたボタンがＵＲＬ表示ボタンであった場合には（ステップＳ１４０：ＵＲＬ表示）、表示制御部１０００は、メタ情報表示部１５００にその旨の通知を行う。【０１１０】
通知を受けたメタ情報表示部１５００は、メタ情報を表示している場合は、そのメタ情報２２１０のＵＲＬ２２１５に接続して、表示制御部１０００を介してインターネットの該当ページを表示する（ステップＳ１７０）。メタ情報表示部１５００は、現在表示しているメタ情報２２１０のＵＲＬ２２１５に接続する。尚、メタ情報を表示していない場合は、何も行わない。【０１１１】
また、押下されたボタンが、地図表示処理の終了を指示するボタンであった場合には、地図を消去し処理を終了する（ステップＳ１４０：終了）。【０１１２】
次に、図１０を用いて、現在フォーカスされている分割領域のメタ情報の表示処理について説明する。【０１１３】
図１０は、メタ情報の表示処理を表すフローチャートである。【０１１４】
表示制御部１０００は、押下されたボタンが決定ボタン３０５であると判断した場合、指示領域表示部１３００に、現在フォーカスされている分割領域の緯度経度を問い合わせる。【０１１５】
問い合わせを受けた指示領域表示部１３００は、領域情報記憶部２１００に記憶されている領域分割情報１２１０を参照し、作業領域に記憶している現在フォーカスされている分割領域の領域ＩＤ１２１１に対応する分割領域の左上緯度経度１２１４と、右上緯度経度１２１５とを表示制御部１０００に渡す（ステップＳ２００）。【０１１６】
分割領域の緯度経度を受け取った表示制御部１０００は、受け取った緯度経度をメタ情報表示部１５００に渡し、メタ情報の表示を依頼する。【０１１７】
依頼を受けたメタ情報表示部１５００は、受け取った緯度経度が前回の依頼の分割領域と同じであるかを判断する。具体的には、メタ情報表示部１５００は、メタ情報の表示依頼を受けた場合には、受け取った緯度経度を内部の作業領域に記憶しておくものとし、記憶している緯度経度と受け取った緯度経度を比較して、同じであれば同じ分割領域であると判断し、異なれば異なる分割領域であると判断する。【０１１８】
前回の依頼のときと異なる緯度経度、すなわち、異なる分割領域であると判断した場合には（ステップＳ２１０：ＮＯ）、受け取った緯度経度でメタ情報群２２０１を検索し（ステップＳ２２０）、緯度２２１２と経度２２１３が、受け取った緯度経度で示される領域内であるメタ情報２２１０を抽出する。【０１１９】
その後、抽出したメタ情報２２１０の表示順序を決定して、一覧表を作成する。具体的には、広告ＩＤ２２１１の一覧表であり、内部の作業領域に記憶する（ステップＳ２３０）。例えば、「ＡＤ０１」、「ＡＤ１２」、「ＡＤ２２」のように順番を記憶する。メタ情報の表示の順番の決め方は、様々な方法があるが、代表的には、表示対象となるメタ情報の検索ランキング順の情報を求め、その順番で表示の切り替えを行っていく方法である。すなわち評価が下位の情報ほど、その表示に辿り着くまでに、切替えるための操作、ここでは、決定ボタンの押下の回数が多くなる。【０１２０】
次に、メタ情報表示部１５００は、作成した一覧表の先頭の広告ＩＤ２２１１に対応するメタ情報２２１０の表示画像２２１４を読出し、表示制御部１０００を介して表示する（ステップＳ２４０）。メタ情報表示部１５００は、一覧表の何番目のメタ情報２２１０を表示しているかを記憶する。【０１２１】
また、メタ情報表示部１５００は、は、前回の依頼のときと同じ緯度経度、すなわち、前回の依頼時と同じ分割領域であると判断した場合には（ステップＳ２１０：ＹＥＳ）、記憶している現在表示しているメタ情報２２１０の順番の次に、一覧表の次順位の広告ＩＤ２２１１が存在する場合には（ステップＳ２５０：ＹＥＳ）、次順位の広告ＩＤ２２１１に対応するメタ情報２２１０の表示画像２２１４を読出し、表示制御部１０００を介して表示する（ステップＳ２６０）。一覧表の次順位の広告ＩＤ２２１１が存在しない場合には（ステップＳ２５０：ＮＯ）、一覧表の先頭の広告ＩＤ２２１１に対応するメタ情報２２１０の表示画像２２１４を読出し、表示制御部１０００を介して表示する（ステップＳ２４０）。【０１２２】
＜変形例＞
実施形態１では、表示するメタ情報は、分割領域に対応付けられたメタ情報のみを表示したが、他の情報（以下、「ランダム情報」という。）を表示することとしても良い。【０１２３】
例えば、図１１の「当たりくじ（３００９）」である。ここでは、広告３００５と広告３００６の間に割り込ませて表示している。【０１２４】
ランダム情報は、メタ情報と同様に位置に関連付けされた情報であってもよいし、位置に関係ない情報であっても良く、例えば、商品の広告とか、店舗の割引券とかを表示することとしてもよい。このランダム情報は、予めメタ情報記憶部２２００に記憶されているものとし、適時、インターネットを介して更新されるものとする。【０１２５】
図１２は、ランダム情報を表示する処理を表すフローチャートである。【０１２６】
本図は、図１０で説明した実施形態１のメタ情報表示処理とほぼ同様であり、ここでは異なる点のみを説明する。【０１２７】
ステップＳ２００〜ステップＳ２６０は、図１０と同様である。【０１２８】
メタ情報表示部１５００は、メタ情報の表示順序を定めた一覧表を元に、次順位のメタ情報を表示する前に、ランダム情報を表示するか否かを決定する（ステップＳ３００）。この決定は、一定の確率Ｒに基づいて、一覧表の順序の間に挟んで、用意されていたランダム情報を表示するか否かを決定する。【０１２９】
表示すると決定した場合は（ステップＳ３００：ＹＥＳ）、ランダム情報を表示し（ステップＳ３１０）、ランダム情報を表示しないと決定した場合は（ステップＳ３００：ＮＯ）、次順位のメタ情報の有無を判断し（ステップＳ２５０）、次順位のメタ情報または最上位のメタ情報を表示する（ステップＳ２６０、ステップＳ２４０）。【０１３０】
このように、メタ情報の表示順の中に、一定の割合で、ユーザにとって利益のある『当選くじ』情報等をランダムに混在させて表示することにより、ユーザがメタ情報を参照する意欲を高める効果を生じさせることが可能となる。【０１３１】
ここでは、ランダム情報は、設定された確率Ｒに基づいて表示されるとしたが、ランダム情報を表示させる条件は他のものであっても勿論良い。
例えば、（ａ）切替入力手段３０８の一定回数の試行ごとにランダム情報を表示する、（ｂ）領域指定手段３０３の一定回数の試行ごとにランダム情報を表示する、（ｃ）予め決められた、ある特定のリモコン操作が行なわれた場合に、ランダム情報を表示する、（ｄ）サービスの実施時間が一定値に達した場合に、ランダム情報を表示する、（ｅ）ランダム情報は、一度表示されたら、その後定められた期間の間、再び表示されることはない、などの表示条件が設定されていても良いし、条件がこれらの組み合わせであったり、他の表示条件が設定されていても勿論良い。
＜実施形態２＞
＜概要＞
実施形態１では、分割領域は、画面２０１を格子状に分割したものとしているが、本実施形態では、地図を考慮した分割方法で分割する。【０１３２】
図１３は、市街地の区画を分割領域４００１としたものであり、
例えば、町毎に分割したり、学区毎に分割したりする。これらの分割に必要な情報は、地図情報に含まれているものとする。【０１３３】
図１４は、カーナビの経路４０１０の道路沿いの領域を部分領域４０１１（斜線部分）としたものである。【０１３４】
例えば、既存のカーナビゲーション装置などでは、行き先を入力すると、地図情報を元に、その地点までの経路を求め地図上に表示する仕組みが実現されている。このような仕組みと組み合わせて求められるものであってもよい。【０１３５】
分割領域は、ユーザによって設定されるものでもよいし、あるいは経路４０１０から自動的に領域が設定されるものであってもよい。ユーザは、例えば、どこかに出かける際の経路を求めると同時に、その経路の周辺領域を一括してメタ情報の取得・表示を行うような使用方法もできる。【０１３６】
＜構成＞
図１５は、本実施形態のテレビ５００の構成を示す機能ブロック図である。本実施形態の機能ブロックは、図１で示した実施形態１のテレビ１００の機能ブロックとほぼ同様である。従って、異なる機能ブロックのみを説明する。【０１３７】
異なる機能ブロックは、領域分割部５２００、指示領域表示部５３００及び領域情報記憶部５１００である。【０１３８】
実施形態１の領域分割部１２００は、画面２０１を格子状に分割して領域分割情報１２１０を作成したが、本実施形態の領域分割部５２００は、表示する地図を元に、市街地の区画や道路沿いの領域を分割領域とし、図１６に示す領域分割情報１２２０を作成し領域情報記憶部５１００に記憶する点が異なる。【０１３９】
この相違から、実施形態１では、地図表示部１１００は表示する地図の緯度と経度を領域分割部１２００に渡したが、本実施形態では、領域分割部５２００に表示する地図の緯度と経度と地図情報とを渡すこととなる。【０１４０】
また、指示領域表示部５３００は、分割領域が格子状でないことから、分割領域の形状に合わせてフォーカスする点が異なる。【０１４１】
＜データ＞
図１５は、領域分割情報１２２０の構成及び内容例を示す図である。【０１４２】
本実施形態での領域分割情報１２２０は、図７で示した実施形態１の領域分割情報１２１０とは、各分割領域のスクリーン座標と緯度経度とを対応付けるものであるという機能は動揺であるが、その構成が異なる。【０１４３】
実施形態１の領域分割情報１２１０では、分割領域が矩形であったことから、左上と右下の２点で表すことができたが、本実施形態では、多角形であり、複数の点であらわす点が異なる。【０１４４】
領域分割情報１２２０は、領域ＩＤ１２２１、点数１２２２、と点数１２２２で示される点数分の、点１スクリーン座標１２２３、点１緯度経度１２２４、点２スクリーン座標、点２緯度経度等で構成される。【０１４５】
例えば、図１６の下の図は、ディスプレイ２００を表し、この図では、領域ＩＤ「ＩＤ７」の分割領域のスクリーン座標と分割領域の緯度経度を示している。領域ＩＤ「ＩＤ７」で示される分割領域のスクリーン座標は「(x71,y71)(x72,y72) (x73,y73)(x74,y74)」であることを示している。【０１４６】
＜動作＞
地図表示処理は、実施形態１の図９及び図１０と同様である。従って、ここでは異なる点のみを説明する。【０１４７】
異なる点は、指示領域表示部５３００が、表示制御部１０００から依頼を受けて、分割領域をフォーカスする場合の処理である。具体的には、図９のステップ１３０とステップＳ１６０との処理である。【０１４８】
依頼を受けた指示領域表示部５３００は、地図が表示されている画面２０１の中央の座標を含む分割領域を、領域情報記憶部１２００に記憶されている領域分割情報１２１０を参照して決定し、その分割領域を表示制御部１０００を介してフォーカスする（図９のステップＳ１３０に該当）。【０１４９】
次に、押下されたボタンが、方向指示ボタン（３０１、３０２、３０３、３０４）のいずれかである場合には（ステップＳ１４０：移動）、表示制御部１０００は、指示領域表示部１３００にフォーカスを変更するよう指示する。【０１５０】
指示を受けた指示領域表示部１３００は、方向指示ボタンの種類、すなわち上下左右の指示に応じて、現在フォーカスしている分割領域に隣接する分割領域を決定し、その分割領域を表示制御部１０００を介してフォーカスする（ステップＳ１６０）。【０１５１】
この現在フォーカスしている分割領域に隣接する分割領域を決定する方法として、例えば、上方向指示ボタンが押下されたときには、現在フォーカスしている分割領域の中心点から上方に垂直線を引き、最初に交差した領域を次にフォーカスする分割領域とするなどである。
＜補足＞
以上、本発明の実施形態について説明したが、本発明は上記形態に限らず、以下のようにしてもよい。
（１）実施形態では、分割領域はお互い重ならないように分割していたが、図１７に示すように、分割領域は所定の移動量で移動して、一部重なるような分割領域がフォーカスされることとしてもよい。【０１５２】
例えば、分割領域４０２０がフォーカスされている場合に、上方向指示ボタンが押下されると斜め上、本図では白抜き矢印で示される分割領域がフォーカスされるなどである。【０１５３】
尚、実施形態では、メタ情報は分割領域の大きさに合わせて１つ表示することとしていたが、メタ情報として表示される広告の画像サイズや形状や、同時に表示を行う画像の数といった要素は、分割領域のサイズや形状とは何ら関係なく決定・配置されてもよい。
（２）実施形態では、分割領域は、多角形としていたが、他の形状であってもよい。例えば、図１８に示すような円形である。【０１５４】
この場合は、方向指示ボタンが押下されると、該当方向に中心点を所定量移動していく。
（３）実施形態では、フォーカスされる分割領域は１つとしていたが、図１９に示すように、複数の分割領域をフォーカスしてもよい。【０１５５】
例えば、「＋」ボタンを押下しつつ方向指示ボタンを押下すると、選択された分割領域が残っているなどである。【０１５６】
この場合、メタ情報は、それぞれの分割領域毎に検索し表示する。【０１５７】
例えば、検索されたメタ情報は１つずつ順に表示され、分割領域４０４０のメタ情報は分割領域４０４０に表示され、分割領域４０４１と分割領域４０４３のメタ情報は、それぞれ分割領域４０４１と分割領域４０４３に表示されるなどである。
（４）実施形態では、メタ情報は関連付けられている位置を含む分割領域に重ねて表示していたが、他の分割領域に重ねて表示してもよい。【０１５８】
例えば、図２０に示すように、分割領域４０５０のメタ情報を、右上の分割領域に重ねて表示するなどである。【０１５９】
また、図２１に示すように、分割領域４０６０のメタ情報を、噴出し４０６１として表示するなどである。
（５）実施形態では、メタ情報は関連付けられている位置を含む分割領域に重ねて表示していたが、地図が表示されているディスプレイ２００以外のディスプレイに表示することとしてもよい。【０１６０】
例えば、図２２に示すように、分割領域４０７０のメタ情報を、携帯端末５０００のディスプレイ５００１に表示するなどである。
（６）実施形態では、地図情報はインターネットを介して適時更新されることとしているが、地図表示装置に装着しデータを読み取らせることが可能な外部記録媒体、例えば、ＨＤＤやＳＤなどのメモリ記録媒体、ＤＶＤやＢｌｕ−ｒａｙＤｉｓｃ、ＨＤ  ＤＶＤのような光ディスク媒体他、任意の外部記録媒体に格納されていてもよい。【０１６１】
また、地図情報記憶部２０００に記憶されている地図情報がビットマップデータである場合、画像イメージデータの形式は、特に限定されるものではなく、ＧＩＦ、ＪＰＥＧ、ＰＮＧ、ＢＭＰ、ＰＩＣＴ、ＴＩＦＦ、ＸＭＦ他、任意の形式であってよい。この場合地図表示部１１００は、画像イメージデータをデコードし地図画像として表示する手段を備える必要がある。【０１６２】
更に、地図情報は、地図をベクトル描画するためのデータであるベクトルデータを含んでいても良い。ベクトル描画は画像をＸＭＬ形式で表現するなどの応用にて頻繁に使用されている方法であり、ベクトルデータは、線の起点・終点の位置、曲線の曲率・太さ・色、それら線によって閉じられた面の色などを数値データにて表したものである。ベクトルデータの形式は、特に限定されるものではなく、ＳＶＧ、ＰＤＦ、ＳＷＦ、ＥＰＳ他、任意の形式で良い。この場合、地図表示部１１００はベクトルデータを描画する手段を備える必要がある。【０１６３】
これらはいずれも従来存在する方法であるが、地図表示部１１００はこれらを組み合わせて表示するものであってもよい。【０１６４】
従来のブラウザアプリケーション上で実施されている地図参照サービスでは、地図の画像イメージをベースとして、ベクトル描画によって画像イメージには表示されていない詳細部分を書き込む、という方法を採用しているものもあり、そのような方法であっても勿論構わない。
（８）実施形態では、メタ情報の表示順序を定めた一覧表は、メタ情報表示部１５００が作成することとしているが、順列化の手段は、例えば、ネットワークに接続され、メタ情報をデータベースにとして蓄積する外部サーバにリクエストを送り、その結果として一覧表を受け取るという方式であっても構わない。【０１６５】
また、この段階で、後のメタ情報表示部によって表示することが不可能なメタ情報は、順列から除くことにしてもよい。【０１６６】
表示することが不可能なメタ情報かどうかを判断するための処理の一例としては、メタ情報の中に、特定の画像形式が含まれているかを判断して、含まれていないものを除去する、という方法がある。
（９）実施形態では、ランダム情報は、メタ情報記憶部２２００に記憶され、適時更新されるものとしているが、地図表示装置がネットワーク経由で外部サーバから更新が行なわれる形であってよい。この時、ネットワークの接続インタフェース、およびデータ取得時のプロトコル等は任意の方式であってよい。また本装置に装着し、データを読み取らせることが可能な外部記録媒体、例えば、ＨＤＤやＳＤなどのメモリ記録媒体、ＤＶＤやＢｌｕ−ｒａｙＤｉｓｃ、ＨＤ  ＤＶＤのような光ディスク媒体他、任意の外部記録媒体に格納されていてそれを取得する形でもよい。これらの複数の方法の組み合わせによって実現されていても勿論良い。
（１０）実施形態では、地図表示装置の例としてテレビ１００を説明したが、本発明の方式を備える機器であれば、地図表示装置や画像表示装置以外のものであっても構わない。例えば画像表示装置と接続して映像コンテンツを表示する機能を有する、映像プレイヤー・レコーダー装置や、ＰＣのような多目的型の電子機器であってもよい。車の内部に装着されるカーナビゲーションシステムであってもよい。携帯電話、コンテンツ再生プレイヤーのような他の機器によって本発明の方式が実施されていても勿論よい。【０１６７】
また、本発明の実施形態では、ユーザの入力のインタフェースとして、画像表示装置のコントロールに用いられるリモコンを用いて説明したが、本発明の方式を備える機器であれば、入力インタフェースの形態は限定されない。【０１６８】
入力インタフェースは、遠隔操作機器であっても、本発明の方式を実装した機器と一体化されたインタフェースであっても構わない。【０１６９】
リモコンは、ゲームコントローラ、ジョイスティック、マウス、トラックボール、タッチパッド、スライドパッド、トラックパッド、タッチパネル、タッチペン、ペンタブレット、ポインティングスティック、ニューロポインタ、モーションセンサーなど、他の入力インタフェースであっても構わない。【０１７０】
また、携帯電話移動機やＰＤＡなど、各種の搬送式の機器が本発明の方式の入力インタフェースの有する手段を備えていても構わない。
（１１）地図表示装置は、図１等の各構成要素の全部又は一部を、コンピュータのプログラムで実現してもよいし、その他どのような形態で実施してもよい。コンピュータプログラムの場合、メモリカード、ＣＤ−ＲＯＭなどいかなる記録媒体に書き込まれたものをコンピュータに読み込ませて実行させる形にしてもよいし、ネットワークを経由してプログラムをダウンロードして実行させる形にしてもよい。
【産業上の利用可能性】
【０１７１】
本発明は、インタフェースとしてリモコンのみを備える機器で、地図表示サービスを提供する場合に適用することができる。また、本発明の方式を搭載する機器・システムは、製造産業において経営的に、また継続的及び反復的に製造し、販売することができ、特に画像を表示する機能およびネットワーク接続機能を有する民生機器産業において利用することができる。
【図１】
2009041042.tif 000003
【図２】
2009041042.tif 000004
【図３】
2009041042.tif 000005
【図４】
2009041042.tif 000006
【図５】
2009041042.tif 000007
【図６】
2009041042.tif 000008
【図７】
2009041042.tif 000009
【図８】
2009041042.tif 000010
【図９】
2009041042.tif 000011
【図１０】
2009041042.tif 000012
【図１１】
2009041042.tif 000013
【図１２】
2009041042.tif 000014
【図１３】
2009041042.tif 000015
【図１４】
2009041042.tif 000016
【図１５】
2009041042.tif 000017
【図１６】
2009041042.tif 000018
【図１７】
2009041042.tif 000019
【図１８】
2009041042.tif 000020
【図１９】
2009041042.tif 000021
【図２０】
2009041042.tif 000022
【図２１】
2009041042.tif 000023
【図２２】
2009041042.tif 000024
【図２３】
2009041042.tif 000025
【手続補正書】
【提出日】平成21年3月12日(2009.3.12)
【手続補正１】
【補正対象書類名】特許請求の範囲
【補正対象項目名】全文
【補正方法】変更
【補正の内容】
【特許請求の範囲】
【請求項１】
地図と、当該地図内の１以上の位置情報それぞれと対応付けられている対応情報とを記憶する記憶手段と、
前記記憶手段に記憶されている地図をディスプレイに表示する地図表示手段と、
前記地図表示手段で地図が表示されているディスプレイ領域のうち、所定の大きさの領域を、ユーザの操作に応じて選択する選択手段と、
前記選択手段で選択された領域に表示されている地図内の位置情報と対応付けられている対応情報を当該地図に重ねて表示する情報表示手段と、
前記地図表示手段で地図が表示されているディスプレイ領域が予め分割されて成る複数の領域のうち、１以上の領域をユーザ操作に応じて指示する指示手段とを備え、
前記指示手段は、前記ユーザ操作が指示する方向に応じて、現在指示している領域に代わって、当該領域に対して前記方向に隣接する領域を指示し、
前記選択手段は、ユーザの操作に応じて、前記指示手段で指示されている領域を選択し、
前記情報表示手段は、前記選択手段で選択された領域に表示されている地図内の位置情報と対応付けられている対応情報を、当該選択された領域に重ねて表示する
ことを特徴とする表示装置。
【請求項２】
前記選択手段で選択された領域に表示されている地図内の位置情報と対応付けられている対応情報は複数あり、
前記表示装置は、更に、外部から対応情報を切替える指示を取得する切替指示取得手段を備え、
前記情報表示手段は、前記対応情報を表示しているときに前記切替取得手段で指示を取得した場合は、前記選択手段で選択された領域に表示されている地図内の位置情報と対応付けられている他の対応情報を表示する
ことを特徴とする請求項１に記載の表示装置。
【請求項３】
前記指示手段で指示する予め分割された領域とは、前記地図表示手段で表示している地図に基づいた多角形の領域である
ことを特徴とする請求項２に記載の表示装置。
【請求項４】
前記多角形の領域とは、地図内の道路に囲まれた領域である
ことを特徴とする請求項３に記載の表示装置。
【請求項５】
前記指示手段で指示されている領域とは、前記ディスプレイ領域が格子状に分割された矩形の領域である
ことを特徴とする請求項１に記載の表示装置。
【請求項６】
前記表示装置は、更に、表示されている地図内の経路を指定する経路指定手段を備え、
前記所定の大きさの領域とは、前記経路指定手段で指定した経路で示される道路及び当該道路に沿った所定幅の領域である
ことを特徴とする請求項１に記載の表示装置。
【請求項７】
前記情報表示手段で表示する対応情報は、前記位置情報で示される位置に在る店舗の広告である
ことを特徴とする請求項１に記載の表示装置。
【請求項８】
前記選択手段は、複数の前記領域を選択し、
前記情報表示手段は、前記選択されたすべての領域に表示されている地図内の位置情報と対応付けられている対応情報を表示する
ことを特徴とする請求項１に記載の表示装置。
【請求項９】
地図と、当該地図内の１以上の位置情報それぞれと対応付けられている対応情報とを記憶する記憶手段を備える表示装置で用いられる表示方法であって、
前記記憶手段に記憶されている地図をディスプレイに表示する地図表示ステップと、
前記地図表示ステップで地図が表示されているディスプレイ領域が予め分割されて成る複数の領域のうち、１以上の領域をユーザ操作に応じて指示する指示ステップと、
前記地図表示ステップで地図が表示されているディスプレイ領域のうち、所定の大きさの領域を、ユーザの操作に応じて選択する選択ステップと、
前記選択ステップで選択された領域に表示されている地図内の位置情報と対応付けられている対応情報を、当該地図に重ねて表示する情報表示ステップとを含む表示方法であり、
前記指示ステップは、前記ユーザ操作が指示する方向に応じて、現在指示している領域に代わって、当該領域に対して前記方向に隣接する領域を指示し、
前記選択ステップは、ユーザの操作に応じて、前記指示ステップで指示されている領域を、前記所定の大きさの領域として選択し、
前記情報表示ステップは、前記選択ステップで選択された領域に表示されている地図内の位置情報と対応付けられている対応情報を、当該選択された領域に重ねて表示する
ことを特徴とする表示方法。
【手続補正書】
【提出日】平成22年3月24日(2010.3.24)
【手続補正１】
【補正対象書類名】明細書
【補正対象項目名】全文
【補正方法】変更
【補正の内容】
【発明の詳細な説明】
【技術分野】
【０００１】
本発明は、地図と地図内の位置に関連付けられた情報とを表示する表示装置に関し、特に、地図内の位置を特定する方法及び情報を表示する方法に関する。
【背景技術】
【０００２】
近年、民生用家電機器（以下、「ＣＥ機器」という。）、例えば、テレビなどの表示装置、ＤＶＤやブルーレイディスクなどの光ディスク録画・再生装置などが、ネットワーク接続機能を備えるようになってきている。
【０００３】
というのは、インターネットユーザの増大によるネットワークの緻密化や、ＸＭＬ（eXtensibleMarkup Language）等を使ったネットワークコンテンツの構造化といった環境変化が活発に進行し、様々なサービスが提供されるようになってきているからである。すなわち、このような様々なサービスの提供が、パソコン等のいわゆる情報機器以外の、従来のＣＥ機器においても行われつつあるからである。
【０００４】
このようなサービスの一つとして、地図表示サービスがある。この地図表示サービスとは、表示されている地図のある地点を指定すると、その地点と関連付けられ、位置情報と対応付けられている対応情報（以下、「メタ情報」という。）、例えば、その地点の地域名称、その地点に存在する建物の名称、そこに存在する商業施設の名称などが表示されるものである。
【０００５】
ここで、従来の代表的な地図表示サービスの例を図２３を用いて簡単に説明する。このサービスは、ブラウザアプリケーション上で実現されているもので、ＰＣなど、ネットワーク接続されブラウザを搭載する機器で実施される。
【０００６】
例えば、ユーザは、表示画面１０１のテキストボックス１０２に、「大阪」「書籍」などと複数の検索用キーワードを入力すると、大阪周辺の地図が地図画面１０３に表示されると共に、その地図上で「書籍」と関係するメタ情報が関連付けられている位置、「Ａ」（１０４）、「Ｂ」などが地図上に表示される。
【０００７】
さらに、従来のサービスでは、キーワードを元にした検索ランキングと連動させたメタ情報の表示サービスが実現されている。
図２３の情報画面１０５は、メタ情報の表示サービスの具体例である。
【０００８】
情報画面１０５には、地図内の位置に関連付けされたメタ情報、例えば広告画像１０６や、その位置に存在する店舗・施設のサイトへと誘導するリンク、すなわち、ＵＲＬ（UniformResource Locator）１０７が検索ランキング順に表示される。このランキングは、メタ情報を蓄積するサービス側が、独自の評価アルゴリズムを用いて決定している。
【０００９】
図２３を用いて説明した地図表示サービスの例は、ＰＣなどの情報機器において実現されているサービスであるが、ＣＥ機器においても、ネットワーク接続機能を有することで、同様の地図表示サービスを行うことが可能となる。
【００１０】
しかし、ＣＥ機器は、ＰＣなどの情報機器と異なり、マウスなどのポインティングデバイスを備えておらず、また、表示画面の画素数も少ないものが多い。
すなわち、テレビや録画・再生装置などでは、いわゆるリモコンを備えているのみであり、リモコンでは、マウスのように、画面に表示されている地図の特定の領域や位置をダイレクトに指定することは難しく、また、表示画面の画素数が少ないことから、地図画面と情報画面とを並べて表示することは視認性の点から現実的ではない場合が多い。
【００１１】
ここで、ＣＥ機器の一つであるテレビ受像機において、リモコンを用いて地図情報を参照する技術がある（特許文献１参照）。
この技術では、地図画面上に配置したアイコンを次々選択していくことにより、すなわち、従来型の階層型メニューを選択していく方式で、メタ情報を画面に表示する。
【００１２】
この技術によれば、ユーザはリモコンを用いて、表示されている地図内の位置に関連付けられているメタ情報を表示させることが可能となる。
【先行技術文献】
【特許文献】
【００１３】
【特許文献１】国際公開第ＷＯ０１／０３００７５号パンフレット
【発明の概要】
【発明が解決しようとする課題】
【００１４】
しかし、この技術では、リモコンを用いてメタ情報を表示させることはできるものの、ユーザは、次々とアイコンを選択する必要があり、ユーザビリティの面で難がある。また、この技術では、メタ情報を地図とは別に表示することから、画素数が小さい画面の場合には、視認性の点で問題が残る。
【００１５】
そこで、本発明は、リモコンのような単純なインタフェースによっても地図内の位置を容易に指定できるような地図を表示し、画素数が小さい画面であっても、視認性に問題が無いような表示方法でメタ情報を表示する地図表示装置の提供を目的とする。
【課題を解決するための手段】
【００１６】
上記目的を達成するために、本発明に係る地図表示装置は、地図と、当該地図内の１以上の位置情報それぞれと対応付けられている対応情報とを記憶する記憶手段と、前記記憶手段に記憶されている地図をディスプレイに表示する地図表示手段と、前記地図表示手段で地図が表示されているディスプレイ領域のうち、所定の大きさの領域を、ユーザの操作に応じて選択する選択手段と、前記選択手段で選択された領域に表示されている地図内の位置情報と対応付けられている対応情報を当該地図に重ねて表示する情報表示手段とを備えることを特徴とする。
【発明の効果】
【００１７】
上記構成の地図表示装置は、ユーザ操作に応じて地図が表示されているディスプレイ領域のうちから所定の大きさの領域を選択できるので、その選択された領域の対応情報を表示することができ、対応情報を地図に重ねて表示するので小さい画面であっても対応情報を見やすく表示することが可能となる。
【００１８】
また、前記表示装置は、更に、前記地図表示手段で地図が表示されているディスプレイ領域が予め分割されて成る複数の領域のうち、1以上の領域をユーザ操作に応じて指示する指示手段を備え、前記指示手段は、前記ユーザ操作が指示する方向に応じて、現在指示している領域に代わって、当該領域に対して前記方向に隣接する領域を指示し、前記選択手段は、ユーザの操作に応じて、前記指示手段で指示されている領域を選択することとしてもよい。
【００１９】
これにより、地図が表示されているディスプレイ領域を分割しているので、分割された領域を指定することで地図の位置を指定することができる。例えばリモコンの上下左右の方向指示ボタンによって、指示する領域の変更を容易にし、簡単に領域の選択を行うことができるようになる。言い換えれば、ＣＥ機器のリモコンのような単純な家電インタフェースによっても、簡単に領域の選択を行うことができるようになる。
【００２０】
すなわち、地図情報とそれに関連付けされた対応情報の表示・参照といったサービスを、限られたインタフェースによって実現することができ、従来のＣＥ機器のような機能的に汎用性を欠くインタフェースリモコンであっても、同サービスを高いユーザビリティを保ったまま実現できるようになる。
【００２１】
また、前記情報表示手段は、前記選択手段で選択された領域に表示されている地図内の位置情報と対応付けられている対応情報を、当該選択された領域に重ねて表示することとしてもよい。
【００２２】
これにより、位置情報と対応付けられている対応情報を選択領域に重ねて表示するので、画面内に地図以外の表示領域を別個に用意することなく、対応情報をユーザに提示することが可能になる。
【００２３】
また、前記選択手段で選択された領域に表示されている地図内の位置情報と対応付けられている対応情報は複数あり、前記表示装置は、更に、外部から対応情報を切替える指示を取得する切替指示取得手段を備え、前記情報表示手段は、前記対応情報を表示しているときに前記切替取得手段で指示を取得した場合は、前記選択手段で選択された領域に表示されている地図内の位置情報と対応付けられている他の対応情報を表示することとしてもよい。
【００２４】
これにより、切替え指示、例えば、リモコンの特定のボタンの押下を取得すれば、表示される対応情報は連続的に切り替わっていき、従来のようにポインティングデバイスで指定したり、リストをスクロールさせて表示させるような複雑度の高い操作なしで、単純なインタフェースにより複数のメタ情報の参照を可能にする。
【００２５】
また、地図の特定領域に対応情報が密集している場合も、対応情報を取得したい地図上の領域を指定して、順番に対応情報を表示することで、簡単な操作で効率よく対応情報を参照することができるようになる。
【００２６】
さらに、対応情報を選択した地図の領域に一致させ、対応情報の切替指示をユーザ入力により行うことで、地図情報の中に存在する対応情報をユーザ操作により直に探索していく、ある種の遊戯的な感覚をユーザに与えることができるという利点もある。
【００２７】
また、前記指示手段で指示する予め分割された領域とは、前記地図表示手段で表示している地図に基づいた多角形の領域であることとしてもよい。
また、前記多角形の領域とは、地図内の道路に囲まれた領域であることとしてもよい。
【００２８】
また、前記指示手段で指示されている領域とは、前記ディスプレイ領域が格子状に分割された矩形の領域であることとしてもよい。
また、前記表示装置は、更に、表示されている地図内の経路を指定する経路指定手段を備え、前記所定の大きさの領域とは、前記経路指定手段で指定した経路で示される道路及び当該道路に沿った所定幅の領域であることとしてもよい。
【００２９】
これにより、領域の形状を異ならせることで、目的に応じた領域を選択することができるようになる。例えば、カーナビの地図においては、道路沿い領域を選択できるようにするなどである。
【００３０】
また、前記情報表示手段で表示する対応情報は、前記位置情報で示される位置に在る店舗の広告であることとしてもよい。
これにより、地図内の領域の選択が容易になり、選択された領域内の店舗の広告を表示することができるようになる。
【００３１】
また、前記選択手段は、複数の前記領域を選択し、前記指示手段は、前記選択されたすべての領域に表示されている地図内の位置情報と対応付けられている対応情報を表示することとしてもよい。
【００３２】
これにより、地図内の複数の領域の選択が可能となり、ユーザの所望する広い領域の対応情報を表示することができるようになる。
【図面の簡単な説明】
【００３３】
【図１】実施形態１のテレビ１００の構成を示す機能ブロック図である。
【図２】リモコンとディスプレイを示す図である。
【図３】地図が表示されている画面を示す図である。
【図４】地図が表示されている画面の１分割領域をフォーカスしている場合を示す図である。
【図５】画面２０１の分割領域のフォーカス及びメタ情報の表示の遷移を示す図である。
【図６】画面２０１のメタ情報の表示の遷移を示す図である。
【図７】領域分割情報１２１０の構成及び内容例を示す図である。
【図８】メタ情報の構成及び内容例を示す図である。
【図９】地図表示処理をあらわすフローチャートである。
【図１０】メタ情報の表示処理をあらわすフローチャートである。
【図１１】メタ情報とランダム情報を表示する図である。
【図１２】変形例における、メタ情報表示処理をあらわすフローチャートである。
【図１３】市街地の区画を分割領域として表示した図である。
【図１４】経路の周辺を分割領域として表示した図である。
【図１５】実施形態２のテレビ１００の構成を示す機能ブロック図である。
【図１６】領域分割情報１２２０の構成及び内容例を示す図である。
【図１７】分割領域が重なる例を示す図である。
【図１８】分割領域が円形の例を示す図である。
【図１９】分割領域が複数フォーカスされる例を示す図である。
【図２０】メタ情報を隣接する分割領域に重ねて表示する例を示す図である。
【図２１】メタ情報を噴出しで表示する例を示す図である。
【図２２】メタ情報を別のディスプレイに表示する例を示す図である。
【図２３】従来の地図表示サービスの例を示す図である。
【発明を実施するための形態】
【００３４】
＜実施形態１＞
＜概要＞
従来のＣＥ機器のインタフェースであるリモコンは、通常、ある機能の実施に特化したボタン、例えば、チャンネルを選択するボタンと、上下左右などの方向を逐次的に入力するボタンとのみを備えるものであり、機能的には汎用性を欠くものである。具体的には、図２示すように、リモコン３００は、「１」、「２」などのチャンネルボタンと、方向指示ボタン（３０１、３０２、３０３、３０４）と決定ボタン３０５とを備える。
【００３５】
従って、前述の図２３で説明したような、地図表示サービスで地図上の特定の領域や位置をダイレクトに指定することは難しい。つまり、マウスなどのポインティングデバイスを前提にしたＰＣなどの情報機器であれば、ポインタの位置によって自然に且つダイレクトに所望の領域を指定することができるが、限られたボタンしか備えないリモコンでこれを行うことは困難である。
【００３６】
また、同様に、メタ情報として示されたＵＲＬを指定するなど、特定の位置に表示された情報を指定して操作を行うことも、リモコンでは難しい。
さらに、画面サイズが小さい、すなわち、画素数が少ない表示画面では、スクロールバーなどを利用してメタ情報の一部のみを表示する方法もあるが、指定に必要なアイコンなどを画面上に表示する必要が生じたり、操作が煩雑となるなど不都合が多い。
【００３７】
本発明にかかる地図表示装置は、表示されている地図内の領域や位置をリモコンを用いたとしても容易に指定できるような方法で、地図を表示する点に特徴がある。すなわち、マウスなどのポインティングデバイスとリモコンとの操作性の相違を考慮して、リモコンの操作方法に合致するような方法で地図を表示する。
【００３８】
具体的には、図３に示すディスプレイ２００の地図が表示されている画面２０１を、図４に示すように、複数の領域に分割する。そして、リモコンの方向指示ボタン（３０１、３０２、３０３、３０４）を押下することにより、当該領域を順にカーソルが移動するようにフォーカス３０００し、その領域を決定ボタン３０５を押下することにより、地図内の特定の領域を選択するものである。
【００３９】
また、同様に、メタ情報の表示やＵＲＬの指定なども、リモコンの操作方法に合致するような方法で行う点に特徴がある。
具体的には、選択された領域内の位置に関連付けられているメタ情報を、並べて表示するのではなく、例えば、一つずつ順に地図に重ねて表示することにより、画面サイズが小さい場合であってもメタ情報を容易に理解することができるようにしている。
【００４０】
＜リモコンを用いた地図領域の選択方法＞
ここで、本発明に係る地図表示装置における、リモコンを用いた地図内の特定領域を選択する方法と、メタ情報の表示方法について、図５と図６とを用いて、簡単に説明する。
【００４１】
図５は、画面２０１の遷移を表す。画面２０１は、白抜き矢印の順に遷移するものとし、白ぬき矢印の下の図は、リモコンの方向指示ボタンと決定ボタンを示し、黒塗りのボタンが押下されたボタンを示す。以下、方向指示ボタンと決定ボタンとをまとめて指す場合は、「リモコンボタン」というものとする。
【００４２】
また、画面２０１には地図が表示されているものとし、格子状に領域が分割されているものとする。ここでは、説明の便宜上、点線で分割された領域の境界が示されているが、実際には、この境界は表示してもしなくてもよい。
【００４３】
図６は、メタ情報の遷移を示す図であり、ここでは、メタ情報は領域内に存在する店舗の広告であり、４つのメタ情報（３００５、３００６、３００７、３００８）が順に、同じ領域に表示される様子を表す。
【００４４】
まず、図５の、左上の画面２０１において領域３００１がフォーカスされている。ここで、上方向指示ボタンを押下すると（リモコンボタン３２０１参照）、領域３００１の上の領域３００２がフォーカスされる。次に、右方向指示ボタンを押下すると（リモコンボタン３２０２参照）、領域３００２の右の領域３００３がフォーカスされる。同様に、さらに右方向指示ボタンを押下すると（リモコンボタン３２０３参照）、領域３００３の右の領域３００４がフォーカスされる。
【００４５】
このとき、決定ボタンを押下すると（リモコンボタン３２０４参照）、領域３００４内の位置に関連付けられているメタ情報、ここでは「広告Ａ（３００５）」が、領域３００４に重ねて表示される（図６のメタ情報３００５参照）。
【００４６】
さらに決定ボタンを押下すると（リモコンボタン３２０５参照）、領域３００４内の位置に関連付けられている別のメタ情報、ここでは「広告Ｂ（３００６）」が、領域３００４に重ねて表示される（図６メタ情報３００６参照）。
【００４７】
「広告Ｂ（３００６）」が表示されている時に、チャンネルボタン「１」を押下すると（チャンネルボタン３２０６参照）、「広告Ｂ（３００６）」に関連するＵＲＬ画面（３０２０）が表示される。例えば、「広告Ｂ」を出している店舗のホームページなどが表示される。
【００４８】
次に、また決定ボタンを押下すると（リモコンボタン３２０７参照）、領域３００４内の位置に関連付けられている別のメタ情報、ここでは「広告Ｃ（３００７）」が、領域３００４に重ねて表示される（図６メタ情報３００７参照）。
【００４９】
ここで、左方向指示ボタンを押下すると（リモコンボタン３２０８参照）、領域３００４の左の領域３０１０がフォーカスされる。このときには、領域３００４に重ねて表示された「広告Ｃ（３００７）」は消去され、地図が表示される。
【００５０】
このように、方向指示ボタンと決定ボタンとで、地図の特定領域を選択し、メタ情報を順次表示し、メタ情報と関連するＵＲＬ画面を表示する。
以下、本発明の地図表示装置の実施形態例であるテレビについて、図を用いて説明する。
【００５１】
＜構成＞
図１は、テレビ１００の構成を示す機能ブロック図である。
テレビ１００は、液晶ディスプレイなどのディスプレイ２００、表示制御部１０００、地図表示部１１００、領域分割部１２００、指示領域表示部１３００、操作検出部１４００、インターネット９００と接続する機能を備えるメタ情報表示部１５００、地図情報記憶部２０００、領域情報記憶部２１００及びメタ情報記憶部２２００とで構成される。
【００５２】
また、テレビ１００の外部に、ユーザとのインタフェース装置であるリモコン３００を備える。
本機能ブロック図では、本発明に関連する機能ブロックのみを記載するものとし、テレビ１００の本来の機能、例えば、テレビ映像信号の受信機能などは図示していない。
【００５３】
まず、表示制御部１０００は、地図やメタ情報の表示制御を行う機能を有する。具体的には、操作検出部１４００の検出したリモコンの操作を解析し、地図を表示したり、指示された領域をフォーカスしたり等の制御を行う。
【００５４】
地図表示部１１００は、表示制御部１０００の指示により、地図情報記憶部２０００から地図情報を読み出して、表示制御部１０００を介してディスプレイ２００に表示する機能を有する。また、地図表示部１１００は、地図を表示する際に、表示する地図の緯度と経度とを領域分割部１２００に渡す機能を有する。
【００５５】
領域分割部１２００は、ディスプレイ２００の画面と表示する地図とを対応付ける機能を有する。具体的には、まず、領域分割部１２００は、予め決められている分割方式で、ディスプレイ２００の画面を複数領域に分割する。以下、この分割された領域を「分割領域」というものとする。本実施形態では、格子状に分割するものとする。
【００５６】
この領域分割部１２００は、各分割領域のスクリーン座標と、地図表示部１１００から受け取った地図の緯度経度との対応付けを行い、領域分割情報として領域情報記憶部２１００に記憶する。記憶する領域分割情報は、＜データ＞の項で説明する。
【００５７】
次に、指示領域表示部１３００は、表示制御部１０００からの指示を受けて、分割領域にフォーカスを移動する機能を有する。ここで、フォーカスとは、ユーザによって指示された分割領域を、ユーザが視認できるように領域を目立たせることをいうものとする。本実施形態では、分割領域の周囲を太線で示すものとするが、他の方法であってもよい。
【００５８】
操作検出部１４００は、リモコン３００に対してユーザが行った操作を取得し、表示制御部１０００に通知する機能を有する。
メタ情報表示部１５００は、表示制御部１０００からの依頼により、メタ情報記憶部２２００から、該当するメタ情報を読み出して、表示制御部１０００を介して表示する機能を有する。また、メタ情報表示部１５００は、表示制御部１０００からの依頼により、現在表示しているメタ情報に関連するＵＲＬ画面を表示する機能も有する。
【００５９】
地図情報記憶部２０００は、地図情報を記憶する機能を有し、メタ情報記憶部２２００は、メタ情報を記憶する機能を有する。これらの地図情報とメタ情報とは、インターネットを介して逐次新しいものに更新されているものとする。また、必要に応じて、適時、インターネットを介してデータを取得するものとする。この時、ネットワークの接続インタフェース、およびデータ取得時のプロトコル等は任意の方式であってよい。
【００６０】
また、地図情報は、地図上の任意の位置の描画箇所の場所を特定できる位置データ（例えば、緯度と経度の組み合わせ）を含んでいる。例えば、地図情報に含まれる画像のビットマップデータまたはベクトルデータの描画単位と組になって、その画像の位置を特定する緯度・経度のデータを含んで構成される。
【００６１】
領域情報記憶部２１００は、領域分割情報を記憶する機能を有する。
ここで、表示制御部１０００等の各部による各処理の全部または一部は、ＣＰＵ（図示していない。）が各種プログラムを実行することにより実現されるものである。
【００６２】
＜データ＞
以下、テレビ１００で用いる主なデータについて、図７と図８とを用いて説明する。
図７は、領域分割情報１２１０の構成及び内容例を示す図である。
【００６３】
この領域分割情報１２１０は、領域情報記憶部２１００に記憶されている情報であり、領域分割部１２００によって作成され記憶される。
領域分割情報１２１０は、各分割領域のスクリーン座標と緯度経度とを対応付けるものであり、スクリーン座標は分割領域をフォーカスする場合に使用され、緯度経度は分割領域内のメタ情報を検索する場合に使用される。
【００６４】
従って、領域分割部１２００は、この領域分割情報１２１０を、地図表示部１１００から緯度経度を渡されて作成依頼を受ける都度に作成し、地図表示部１１００は、ディスプレイ２００の画面２０１に表示する地図が変わる都度に、その緯度経度を領域分割部１２００に渡して作成依頼をする。
【００６５】
本実施形態では、ディスプレイ２００の画面２０１を、格子状に２０個の領域に分割するものとし（図４等参照）、各分割領域のスクリーン座標は予め定められているものとする。
【００６６】
領域分割情報１２１０は、領域ＩＤ１２１１、左上スクリーン座標１２１２、右下スクリーン座標１２１３、左上緯度経度１２１４及び右下緯度経度１２１５で構成される。
領域ＩＤ１２１１は、分割領域の識別子であり、本実施形態の場合、一段目の左端の分割領域から右に「ＩＤ１」、「ＩＤ２」〜「ＩＤ５」、２段目の左端の分割領域から右に「ＩＤ６」〜「ＩＤ１０」となり、最後は「ＩＤ２０」となるものとする。
【００６７】
左上スクリーン座標１２１２と右下スクリーン座標１２１３は、分割領域のスクリーン座標をそれぞれ示す。画面２０１の左上の角を、座標値（０，０）とした座標である。以下、左上スクリーン座標１２１２と右下スクリーン座標１２１３とを総称する場合は、「分割領域のスクリーン座標」というものとする。
【００６８】
また、左上緯度経度１２１４と右下緯度経度１２１５は、分割領域の緯度経度をそれぞれ示す。以下、これらを総称する場合は、「分割領域の緯度経度」というものとする。
例えば、図７の下の図は、ディスプレイ２００を表し、この図では、領域ＩＤ「ＩＤ７」の分割領域のスクリーン座標と分割領域の緯度経度を示している。領域ＩＤ「ＩＤ７」で示される分割領域のスクリーン座標は「(Lx7,Ly7)(Rx7,Ry7)」、分割領域の緯度経度は「(LLAT7,LLNG7)(RLAT7,RLNG7)」であることを示している。
【００６９】
次に、図８は、メタ情報群２２０１の構成及び内容例を示す図である。
このメタ情報群２２０１は、メタ情報記憶部２２００に記憶されている情報であり、メタ情報表示部１５００により参照され画面２０１に表示される。このメタ情報２２０１は、インターネットを介して随時更新されている。
【００７０】
メタ情報２２０１群は、複数のメタ情報２２１０で構成されており、メタ情報２２１０はそれぞれ地図の位置と関連付けられている。
メタ情報２２１０は、広告ＩＤ２２１１、緯度２２１２、経度２２１３、表示画像２２１４及びＵＲＬ２２１５で構成される。
【００７１】
広告ＩＤ２２１１は、メタ情報の識別子であり、本実施形態ではメタ情報は店舗等の広告であるものとする。メタ情報は広告以外のものであってもよい。
緯度２２１２と経度２２１３は、メタ情報が対応付けられている地図内の位置を示している。本実施形態では、メタ情報は店舗等の広告であることから、緯度２２１２と経度２２１３は店舗の位置を示すことになる。
【００７２】
表示画像２２１４は、ディスプレイ２００に表示する表示画像を示し、実際には、ＪＰＥＧ等の形式の画像データが記憶されている。ここでは、説明の便宜上、表示される画像を記載している。
【００７３】
ＵＲＬ２２１５は、メタ情報と関連するＵＲＬであり、本実施形態では、例えば、店舗のホームページ等のＵＲＬである。
＜動作＞
以下、本発明に係るテレビ１００の動作について図９と図１０とを用いて説明する。
【００７４】
図９は、地図の表示処理を表すフローチャートである。
まず、ユーザは、リモコン３００の地図表示ボタンを押下する。
地図表示ボタンが押下されたことを検知した操作検知部１４００は、その旨を表示制御部１０００に通知する（ステップＳ１００）。
【００７５】
通知を受けた表示制御部１０００は、地図表示部１１００に地図を表示するよう依頼する。どの地域の地図を表示するかは、本実施形態では、予め決められているものとする。尚、これに限られず、ユーザが指定することとしてもよく、また、テレビ等の地図表示装置がＧＰＳを備えて自装置の近辺の地図を表示することと等としてもよい。
【００７６】
地図の表示依頼を受けた地図表示部１１００は、地図情報記憶部２０００から該当する地図を読み出して、表示制御部１０００を介してディスプレイ２００に表示する（ステップＳ１１０）。
【００７７】
地図を表示すると同時に、地図表示部１１００は表示する地図の緯度経度を領域分割部１２００に渡して領域の分割を依頼する。表示する地図の緯度経度は、地図情報記憶部２０００に地図の図形情報とともに記憶されているものとする。
【００７８】
分割の依頼を受けた領域分割部１２００は、受け取った緯度経度から、各分割領域のスクリーン座標に対応する緯度経度を求め、領域分割情報１２１０を作成し、作成した領域分割情報１２１０を、領域情報記憶部２１００に記憶する（ステップＳ１２０）。
【００７９】
表示制御部１０００は、地図をディスプレイ２００に表示したら、指示領域表示部１３００に開始位置の分割領域のフォーカスを依頼する。
依頼を受けた指示領域表示部１３００は、地図が表示されている画面２０１の中央の座標を含む分割領域を、領域情報記憶部１２００に記憶されている領域分割情報１２１０を参照して決定し、その分割領域を表示制御部１０００を介してフォーカスする（ステップＳ１３０）。具体的には、分割領域のスクリーン座標を表示制御部１０００に渡し、表示制御部１０００は、受け取ったスクリーン座標からディスプレイ２００に太線の矩形を表示する（図５の分割領域３００１参照）。
【００８０】
また、指示領域表示部１３００は、フォーカスしている分割領域の領域ＩＤ１２１１を、内部の作業領域に記憶しているものとする。
次に操作検出部１４００が、ユーザの操作を検出すると、検出した操作、具体的には、どのボタンが押下されたのかを表示制御部１０００に通知する。
【００８１】
通知を受けた表示制御部１０００は、押下されたボタンが、方向指示ボタン（３０１、３０２、３０３、３０４）のいずれかである場合には（ステップＳ１４０：移動）、指示領域表示部１３００にフォーカスを変更するよう指示する。
【００８２】
指示を受けた指示領域表示部１３００は、方向指示ボタンの種類、すなわち上下左右の指示に応じて、現在フォーカスしている分割領域に隣接する分割領域を決定し、その分割領域を表示制御部１０００を介してフォーカスする（ステップＳ１６０）。
【００８３】
一方、押下されたボタンが決定ボタン３０５であった場合には（ステップＳ１４０：決定）、現在フォーカスされている分割領域のメタ情報の表示処理を行う（ステップＳ１５０）。この処理については、図１０を用いて後で説明する。
【００８４】
また、押下されたボタンがＵＲＬ表示ボタンであった場合には（ステップＳ１４０：ＵＲＬ表示）、表示制御部１０００は、メタ情報表示部１５００にその旨の通知を行う。
通知を受けたメタ情報表示部１５００は、メタ情報を表示している場合は、そのメタ情報２２１０のＵＲＬ２２１５に接続して、表示制御部１０００を介してインターネットの該当ページを表示する（ステップＳ１７０）。メタ情報表示部１５００は、現在表示しているメタ情報２２１０のＵＲＬ２２１５に接続する。尚、メタ情報を表示していない場合は、何も行わない。
【００８５】
また、押下されたボタンが、地図表示処理の終了を指示するボタンであった場合には、地図を消去し処理を終了する（ステップＳ１４０：終了）。
次に、図１０を用いて、現在フォーカスされている分割領域のメタ情報の表示処理について説明する。
【００８６】
図１０は、メタ情報の表示処理を表すフローチャートである。
表示制御部１０００は、押下されたボタンが決定ボタン３０５であると判断した場合、指示領域表示部１３００に、現在フォーカスされている分割領域の緯度経度を問い合わせる。
【００８７】
問い合わせを受けた指示領域表示部１３００は、領域情報記憶部２１００に記憶されている領域分割情報１２１０を参照し、作業領域に記憶している現在フォーカスされている分割領域の領域ＩＤ１２１１に対応する分割領域の左上緯度経度１２１４と、右上緯度経度１２１５とを表示制御部１０００に渡す（ステップＳ２００）。
【００８８】
分割領域の緯度経度を受け取った表示制御部１０００は、受け取った緯度経度をメタ情報表示部１５００に渡し、メタ情報の表示を依頼する。
依頼を受けたメタ情報表示部１５００は、受け取った緯度経度が前回の依頼の分割領域と同じであるかを判断する。具体的には、メタ情報表示部１５００は、メタ情報の表示依頼を受けた場合には、受け取った緯度経度を内部の作業領域に記憶しておくものとし、記憶している緯度経度と受け取った緯度経度を比較して、同じであれば同じ分割領域であると判断し、異なれば異なる分割領域であると判断する。
【００８９】
前回の依頼のときと異なる緯度経度、すなわち、異なる分割領域であると判断した場合には（ステップＳ２１０：ＮＯ）、受け取った緯度経度でメタ情報群２２０１を検索し（ステップＳ２２０）、緯度２２１２と経度２２１３が、受け取った緯度経度で示される領域内であるメタ情報２２１０を抽出する。
【００９０】
その後、抽出したメタ情報２２１０の表示順序を決定して、一覧表を作成する。具体的には、広告ＩＤ２２１１の一覧表であり、内部の作業領域に記憶する（ステップＳ２３０）。例えば、「ＡＤ０１」、「ＡＤ１２」、「ＡＤ２２」のように順番を記憶する。メタ情報の表示の順番の決め方は、様々な方法があるが、代表的には、表示対象となるメタ情報の検索ランキング順の情報を求め、その順番で表示の切り替えを行っていく方法である。すなわち評価が下位の情報ほど、その表示に辿り着くまでに、切替えるための操作、ここでは、決定ボタンの押下の回数が多くなる。
【００９１】
次に、メタ情報表示部１５００は、作成した一覧表の先頭の広告ＩＤ２２１１に対応するメタ情報２２１０の表示画像２２１４を読出し、表示制御部１０００を介して表示する（ステップＳ２４０）。メタ情報表示部１５００は、一覧表の何番目のメタ情報２２１０を表示しているかを記憶する。
【００９２】
また、メタ情報表示部１５００は、は、前回の依頼のときと同じ緯度経度、すなわち、前回の依頼時と同じ分割領域であると判断した場合には（ステップＳ２１０：ＹＥＳ）、記憶している現在表示しているメタ情報２２１０の順番の次に、一覧表の次順位の広告ＩＤ２２１１が存在する場合には（ステップＳ２５０：ＹＥＳ）、次順位の広告ＩＤ２２１１に対応するメタ情報２２１０の表示画像２２１４を読出し、表示制御部１０００を介して表示する（ステップＳ２６０）。一覧表の次順位の広告ＩＤ２２１１が存在しない場合には（ステップＳ２５０：ＮＯ）、一覧表の先頭の広告ＩＤ２２１１に対応するメタ情報２２１０の表示画像２２１４を読出し、表示制御部１０００を介して表示する（ステップＳ２４０）。
【００９３】
＜変形例＞
実施形態１では、表示するメタ情報は、分割領域に対応付けられたメタ情報のみを表示したが、他の情報（以下、「ランダム情報」という。）を表示することとしても良い。
【００９４】
例えば、図１１の「当たりくじ（３００９）」である。ここでは、広告３００５と広告３００６の間に割り込ませて表示している。
ランダム情報は、メタ情報と同様に位置に関連付けされた情報であってもよいし、位置に関係ない情報であっても良く、例えば、商品の広告とか、店舗の割引券とかを表示することとしてもよい。このランダム情報は、予めメタ情報記憶部２２００に記憶されているものとし、適時、インターネットを介して更新されるものとする。
【００９５】
図１２は、ランダム情報を表示する処理を表すフローチャートである。
本図は、図１０で説明した実施形態１のメタ情報表示処理とほぼ同様であり、ここでは異なる点のみを説明する。
【００９６】
ステップＳ２００〜ステップＳ２６０は、図１０と同様である。
メタ情報表示部１５００は、メタ情報の表示順序を定めた一覧表を元に、次順位のメタ情報を表示する前に、ランダム情報を表示するか否かを決定する（ステップＳ３００）。この決定は、一定の確率Ｒに基づいて、一覧表の順序の間に挟んで、用意されていたランダム情報を表示するか否かを決定する。
【００９７】
表示すると決定した場合は（ステップＳ３００：ＹＥＳ）、ランダム情報を表示し（ステップＳ３１０）、ランダム情報を表示しないと決定した場合は（ステップＳ３００：ＮＯ）、次順位のメタ情報の有無を判断し（ステップＳ２５０）、次順位のメタ情報または最上位のメタ情報を表示する（ステップＳ２６０、ステップＳ２４０）。
【００９８】
このように、メタ情報の表示順の中に、一定の割合で、ユーザにとって利益のある『当選くじ』情報等をランダムに混在させて表示することにより、ユーザがメタ情報を参照する意欲を高める効果を生じさせることが可能となる。
【００９９】
ここでは、ランダム情報は、設定された確率Ｒに基づいて表示されるとしたが、ランダム情報を表示させる条件は他のものであっても勿論良い。
例えば、（ａ）切替入力手段３０８の一定回数の試行ごとにランダム情報を表示する、（ｂ）領域指定手段３０３の一定回数の試行ごとにランダム情報を表示する、（ｃ）予め決められた、ある特定のリモコン操作が行なわれた場合に、ランダム情報を表示する、（ｄ）サービスの実施時間が一定値に達した場合に、ランダム情報を表示する、（ｅ）ランダム情報は、一度表示されたら、その後定められた期間の間、再び表示されることはない、などの表示条件が設定されていても良いし、条件がこれらの組み合わせであったり、他の表示条件が設定されていても勿論良い。
＜実施形態２＞
＜概要＞
実施形態１では、分割領域は、画面２０１を格子状に分割したものとしているが、本実施形態では、地図を考慮した分割方法で分割する。
【０１００】
図１３は、市街地の区画を分割領域４００１としたものであり、
例えば、町毎に分割したり、学区毎に分割したりする。これらの分割に必要な情報は、地図情報に含まれているものとする。
【０１０１】
図１４は、カーナビの経路４０１０の道路沿いの領域を部分領域４０１１（斜線部分）としたものである。
例えば、既存のカーナビゲーション装置などでは、行き先を入力すると、地図情報を元に、その地点までの経路を求め地図上に表示する仕組みが実現されている。このような仕組みと組み合わせて求められるものであってもよい。
【０１０２】
分割領域は、ユーザによって設定されるものでもよいし、あるいは経路４０１０から自動的に領域が設定されるものであってもよい。ユーザは、例えば、どこかに出かける際の経路を求めると同時に、その経路の周辺領域を一括してメタ情報の取得・表示を行うような使用方法もできる。
【０１０３】
＜構成＞
図１５は、本実施形態のテレビ５００の構成を示す機能ブロック図である。本実施形態の機能ブロックは、図１で示した実施形態１のテレビ１００の機能ブロックとほぼ同様である。従って、異なる機能ブロックのみを説明する。
【０１０４】
異なる機能ブロックは、領域分割部５２００、指示領域表示部５３００及び領域情報記憶部５１００である。
実施形態１の領域分割部１２００は、画面２０１を格子状に分割して領域分割情報１２１０を作成したが、本実施形態の領域分割部５２００は、表示する地図を元に、市街地の区画や道路沿いの領域を分割領域とし、図１６に示す領域分割情報１２２０を作成し領域情報記憶部５１００に記憶する点が異なる。
【０１０５】
この相違から、実施形態１では、地図表示部１１００は表示する地図の緯度と経度を領域分割部１２００に渡したが、本実施形態では、領域分割部５２００に表示する地図の緯度と経度と地図情報とを渡すこととなる。
【０１０６】
また、指示領域表示部５３００は、分割領域が格子状でないことから、分割領域の形状に合わせてフォーカスする点が異なる。
＜データ＞
図１５は、領域分割情報１２２０の構成及び内容例を示す図である。
【０１０７】
本実施形態での領域分割情報１２２０は、図７で示した実施形態１の領域分割情報１２１０とは、各分割領域のスクリーン座標と緯度経度とを対応付けるものであるという機能は動揺であるが、その構成が異なる。
【０１０８】
実施形態１の領域分割情報１２１０では、分割領域が矩形であったことから、左上と右下の２点で表すことができたが、本実施形態では、多角形であり、複数の点であらわす点が異なる。
【０１０９】
領域分割情報１２２０は、領域ＩＤ１２２１、点数１２２２、と点数１２２２で示される点数分の、点１スクリーン座標１２２３、点１緯度経度１２２４、点２スクリーン座標、点２緯度経度等で構成される。
【０１１０】
例えば、図１６の下の図は、ディスプレイ２００を表し、この図では、領域ＩＤ「ＩＤ７」の分割領域のスクリーン座標と分割領域の緯度経度を示している。領域ＩＤ「ＩＤ７」で示される分割領域のスクリーン座標は「(x71,y71)(x72,y72)(x73,y73)(x74,y74)」であることを示している。
【０１１１】
＜動作＞
地図表示処理は、実施形態１の図９及び図１０と同様である。従って、ここでは異なる点のみを説明する。
【０１１２】
異なる点は、指示領域表示部５３００が、表示制御部１０００から依頼を受けて、分割領域をフォーカスする場合の処理である。具体的には、図９のステップ１３０とステップＳ１６０との処理である。
【０１１３】
依頼を受けた指示領域表示部５３００は、地図が表示されている画面２０１の中央の座標を含む分割領域を、領域情報記憶部１２００に記憶されている領域分割情報１２１０を参照して決定し、その分割領域を表示制御部１０００を介してフォーカスする（図９のステップＳ１３０に該当）。
【０１１４】
次に、押下されたボタンが、方向指示ボタン（３０１、３０２、３０３、３０４）のいずれかである場合には（ステップＳ１４０：移動）、表示制御部１０００は、指示領域表示部１３００にフォーカスを変更するよう指示する。
【０１１５】
指示を受けた指示領域表示部１３００は、方向指示ボタンの種類、すなわち上下左右の指示に応じて、現在フォーカスしている分割領域に隣接する分割領域を決定し、その分割領域を表示制御部１０００を介してフォーカスする（ステップＳ１６０）。
【０１１６】
この現在フォーカスしている分割領域に隣接する分割領域を決定する方法として、例えば、上方向指示ボタンが押下されたときには、現在フォーカスしている分割領域の中心点から上方に垂直線を引き、最初に交差した領域を次にフォーカスする分割領域とするなどである。
＜補足＞
以上、本発明の実施形態について説明したが、本発明は上記形態に限らず、以下のようにしてもよい。
（１）実施形態では、分割領域はお互い重ならないように分割していたが、図１７に示すように、分割領域は所定の移動量で移動して、一部重なるような分割領域がフォーカスされることとしてもよい。
【０１１７】
例えば、分割領域４０２０がフォーカスされている場合に、上方向指示ボタンが押下されると斜め上、本図では白抜き矢印で示される分割領域がフォーカスされるなどである。
尚、実施形態では、メタ情報は分割領域の大きさに合わせて１つ表示することとしていたが、メタ情報として表示される広告の画像サイズや形状や、同時に表示を行う画像の数といった要素は、分割領域のサイズや形状とは何ら関係なく決定・配置されてもよい。
（２）実施形態では、分割領域は、多角形としていたが、他の形状であってもよい。例えば、図１８に示すような円形である。
【０１１８】
この場合は、方向指示ボタンが押下されると、該当方向に中心点を所定量移動していく。
（３）実施形態では、フォーカスされる分割領域は１つとしていたが、図１９に示すように、複数の分割領域をフォーカスしてもよい。
【０１１９】
例えば、「＋」ボタンを押下しつつ方向指示ボタンを押下すると、選択された分割領域が残っているなどである。
この場合、メタ情報は、それぞれの分割領域毎に検索し表示する。
【０１２０】
例えば、検索されたメタ情報は１つずつ順に表示され、分割領域４０４０のメタ情報は分割領域４０４０に表示され、分割領域４０４１と分割領域４０４３のメタ情報は、それぞれ分割領域４０４１と分割領域４０４３に表示されるなどである。
（４）実施形態では、メタ情報は関連付けられている位置を含む分割領域に重ねて表示していたが、他の分割領域に重ねて表示してもよい。
【０１２１】
例えば、図２０に示すように、分割領域４０５０のメタ情報を、右上の分割領域に重ねて表示するなどである。
また、図２１に示すように、分割領域４０６０のメタ情報を、噴出し４０６１として表示するなどである。
（５）実施形態では、メタ情報は関連付けられている位置を含む分割領域に重ねて表示していたが、地図が表示されているディスプレイ２００以外のディスプレイに表示することとしてもよい。
【０１２２】
例えば、図２２に示すように、分割領域４０７０のメタ情報を、携帯端末５０００のディスプレイ５００１に表示するなどである。
（６）実施形態では、地図情報はインターネットを介して適時更新されることとしているが、地図表示装置に装着しデータを読み取らせることが可能な外部記録媒体、例えば、ＨＤＤやＳＤなどのメモリ記録媒体、ＤＶＤやＢｌｕ−ｒａｙＤｉｓｃ、ＨＤ  ＤＶＤのような光ディスク媒体他、任意の外部記録媒体に格納されていてもよい。
【０１２３】
また、地図情報記憶部２０００に記憶されている地図情報がビットマップデータである場合、画像イメージデータの形式は、特に限定されるものではなく、ＧＩＦ、ＪＰＥＧ、ＰＮＧ、ＢＭＰ、ＰＩＣＴ、ＴＩＦＦ、ＸＭＦ他、任意の形式であってよい。この場合地図表示部１１００は、画像イメージデータをデコードし地図画像として表示する手段を備える必要がある。
【０１２４】
更に、地図情報は、地図をベクトル描画するためのデータであるベクトルデータを含んでいても良い。ベクトル描画は画像をＸＭＬ形式で表現するなどの応用にて頻繁に使用されている方法であり、ベクトルデータは、線の起点・終点の位置、曲線の曲率・太さ・色、それら線によって閉じられた面の色などを数値データにて表したものである。ベクトルデータの形式は、特に限定されるものではなく、ＳＶＧ、ＰＤＦ、ＳＷＦ、ＥＰＳ他、任意の形式で良い。この場合、地図表示部１１００はベクトルデータを描画する手段を備える必要がある。
【０１２５】
これらはいずれも従来存在する方法であるが、地図表示部１１００はこれらを組み合わせて表示するものであってもよい。
従来のブラウザアプリケーション上で実施されている地図参照サービスでは、地図の画像イメージをベースとして、ベクトル描画によって画像イメージには表示されていない詳細部分を書き込む、という方法を採用しているものもあり、そのような方法であっても勿論構わない。
（８）実施形態では、メタ情報の表示順序を定めた一覧表は、メタ情報表示部１５００が作成することとしているが、順列化の手段は、例えば、ネットワークに接続され、メタ情報をデータベースにとして蓄積する外部サーバにリクエストを送り、その結果として一覧表を受け取るという方式であっても構わない。
【０１２６】
また、この段階で、後のメタ情報表示部によって表示することが不可能なメタ情報は、順列から除くことにしてもよい。
表示することが不可能なメタ情報かどうかを判断するための処理の一例としては、メタ情報の中に、特定の画像形式が含まれているかを判断して、含まれていないものを除去する、という方法がある。
（９）実施形態では、ランダム情報は、メタ情報記憶部２２００に記憶され、適時更新されるものとしているが、地図表示装置がネットワーク経由で外部サーバから更新が行なわれる形であってよい。この時、ネットワークの接続インタフェース、およびデータ取得時のプロトコル等は任意の方式であってよい。また本装置に装着し、データを読み取らせることが可能な外部記録媒体、例えば、ＨＤＤやＳＤなどのメモリ記録媒体、ＤＶＤやＢｌｕ−ｒａｙＤｉｓｃ、ＨＤ  ＤＶＤのような光ディスク媒体他、任意の外部記録媒体に格納されていてそれを取得する形でもよい。これらの複数の方法の組み合わせによって実現されていても勿論良い。
（１０）実施形態では、地図表示装置の例としてテレビ１００を説明したが、本発明の方式を備える機器であれば、地図表示装置や画像表示装置以外のものであっても構わない。例えば画像表示装置と接続して映像コンテンツを表示する機能を有する、映像プレイヤー・レコーダー装置や、ＰＣのような多目的型の電子機器であってもよい。車の内部に装着されるカーナビゲーションシステムであってもよい。携帯電話、コンテンツ再生プレイヤーのような他の機器によって本発明の方式が実施されていても勿論よい。
【０１２７】
また、本発明の実施形態では、ユーザの入力のインタフェースとして、画像表示装置のコントロールに用いられるリモコンを用いて説明したが、本発明の方式を備える機器であれば、入力インタフェースの形態は限定されない。
【０１２８】
入力インタフェースは、遠隔操作機器であっても、本発明の方式を実装した機器と一体化されたインタフェースであっても構わない。
リモコンは、ゲームコントローラ、ジョイスティック、マウス、トラックボール、タッチパッド、スライドパッド、トラックパッド、タッチパネル、タッチペン、ペンタブレット、ポインティングスティック、ニューロポインタ、モーションセンサーなど、他の入力インタフェースであっても構わない。
【０１２９】
また、携帯電話移動機やＰＤＡなど、各種の搬送式の機器が本発明の方式の入力インタフェースの有する手段を備えていても構わない。
（１１）地図表示装置は、図１等の各構成要素の全部又は一部を、コンピュータのプログラムで実現してもよいし、その他どのような形態で実施してもよい。コンピュータプログラムの場合、メモリカード、ＣＤ−ＲＯＭなどいかなる記録媒体に書き込まれたものをコンピュータに読み込ませて実行させる形にしてもよいし、ネットワークを経由してプログラムをダウンロードして実行させる形にしてもよい。
【産業上の利用可能性】
【０１３０】
本発明は、インタフェースとしてリモコンのみを備える機器で、地図表示サービスを提供する場合に適用することができる。また、本発明の方式を搭載する機器・システムは、製造産業において経営的に、また継続的及び反復的に製造し、販売することができ、特に画像を表示する機能およびネットワーク接続機能を有する民生機器産業において利用することができる。
【符号の説明】
【０１３１】
１００  ５００  テレビ
２００    ディスプレイ
３００    リモコン
１０００  表示制御分
１１００  地図表示部
１２００  ５２００  領域分割部
１３００  ５３００  指示領域表示部
１４００  操作検出部
１５００  メタ情報表示部
１６００  ビデオ表示制御部
２０００  地図情報記憶部
２１００  ５１００  領域情報記憶部
２２００  メタ情報記憶部
【手続補正２】
【補正対象書類名】特許請求の範囲
【補正対象項目名】全文
【補正方法】変更
【補正の内容】
【特許請求の範囲】
【請求項１】
地図と、当該地図内の１以上の位置情報それぞれと対応付けられている対応情報とを記憶する記憶手段と、
前記記憶手段に記憶されている地図をディスプレイに表示する地図表示手段と、
前記地図表示手段で地図が表示されているディスプレイ領域のうち、所定の大きさの領域を、ユーザの操作に応じて選択する選択手段と、
前記選択手段で選択された領域に表示されている地図内の位置情報と対応付けられている対応情報を当該地図に重ねて表示する情報表示手段と
を備えることを特徴とする表示装置。
【請求項２】
前記表示装置は、更に、前記地図表示手段で地図が表示されているディスプレイ領域が予め分割されて成る複数の領域のうち、1以上の領域をユーザ操作に応じて指示する指示手段を備え、
前記指示手段は、前記ユーザ操作が指示する方向に応じて、現在指示している領域に代わって、当該領域に対して前記方向に隣接する領域を指示し、
前記選択手段は、ユーザの操作に応じて、前記指示手段で指示されている領域を選択する
ことを特徴とする請求項１に記載の表示装置。
【請求項３】
前記情報表示手段は、前記選択手段で選択された領域に表示されている地図内の位置情報と対応付けられている対応情報を、当該選択された領域に重ねて表示する
ことを特徴とする請求項２に記載の表示装置。
【請求項４】
前記選択手段で選択された領域に表示されている地図内の位置情報と対応付けられている対応情報は複数あり、
前記表示装置は、更に、外部から対応情報を切替える指示を取得する切替指示取得手段を備え、
前記情報表示手段は、前記対応情報を表示しているときに前記切替取得手段で指示を取得した場合は、前記選択手段で選択された領域に表示されている地図内の位置情報と対応付けられている他の対応情報を表示する
ことを特徴とする請求項３に記載の表示装置。
【請求項５】
前記指示手段で指示する予め分割された領域とは、前記地図表示手段で表示している地図に基づいた多角形の領域である
ことを特徴とする請求項４に記載の表示装置。
【請求項６】
前記多角形の領域とは、地図内の道路に囲まれた領域である
ことを特徴とする請求項５に記載の表示装置。
【請求項７】
前記指示手段で指示されている領域とは、前記ディスプレイ領域が格子状に分割された矩形の領域である
ことを特徴とする請求項２に記載の表示装置。
【請求項８】
前記表示装置は、更に、表示されている地図内の経路を指定する経路指定手段を備え、
前記所定の大きさの領域とは、前記経路指定手段で指定した経路で示される道路及び当該道路に沿った所定幅の領域である
ことを特徴とする請求項１に記載の表示装置。
【請求項９】
前記情報表示手段で表示する対応情報は、前記位置情報で示される位置に在る店舗の広告である
ことを特徴とする請求項１に記載の表示装置。
【請求項１０】
前記選択手段は、複数の前記領域を選択し、
前記指示手段は、前記選択されたすべての領域に表示されている地図内の位置情報と対応付けられている対応情報を表示する
ことを特徴とする請求項１に記載の表示装置。
【請求項１１】
地図と、当該地図内の１以上の位置情報それぞれと対応付けられている対応情報とを記憶する記憶手段を備える表示装置で用いられる表示方法であって、
前記記憶手段に記憶されている地図をディスプレイに表示する地図表示ステップと、
前記地図表示ステップで地図が表示されているディスプレイ領域のうち、所定の大きさの領域を、ユーザの操作に応じて選択する選択ステップと、
前記選択ステップで選択された領域に表示されている地図内の位置情報と対応付けられている対応情報を当該地図に重ねて表示する情報表示ステップと
を備えることを特徴とする表示方法。
【手続補正３】
【補正対象書類名】図面
【補正対象項目名】全図
【補正方法】変更
【補正の内容】
【図１】
2009041042.tif 000026
【図２】
2009041042.tif 000027
【図３】
2009041042.tif 000028
【図４】
2009041042.tif 000029
【図５】
2009041042.tif 000030
【図６】
2009041042.tif 000031
【図７】
2009041042.tif 000032
【図８】
2009041042.tif 000033
【図９】
2009041042.tif 000034
【図１０】
2009041042.tif 000035
【図１１】
2009041042.tif 000036
【図１２】
2009041042.tif 000037
【図１３】
2009041042.tif 000038
【図１４】
2009041042.tif 000039
【図１５】
2009041042.tif 000040
【図１６】
2009041042.tif 000041
【図１７】
2009041042.tif 000042
【図１８】
2009041042.tif 000043
【図１９】
2009041042.tif 000044
【図２０】
2009041042.tif 000045
【図２１】
2009041042.tif 000046
【図２２】
2009041042.tif 000047
【図２３】
2009041042.tif 000048
【手続補正書】
【提出日】平成22年3月25日(2010.3.25)
【手続補正１】
【補正対象書類名】特許請求の範囲
【補正対象項目名】全文
【補正方法】変更
【補正の内容】
【特許請求の範囲】
【請求項１】
地図と、当該地図内の１以上の位置情報それぞれと対応付けられている対応情報とを記憶する記憶手段と、
前記記憶手段に記憶されている地図をディスプレイに表示する地図表示手段と、
前記地図表示手段で地図が表示されているディスプレイ領域のうち、所定の大きさの領域を、ユーザの操作に応じて選択する選択手段と、
前記選択手段で選択された領域に表示されている地図内の位置情報と対応付けられている対応情報を当該地図に重ねて表示する情報表示手段と、
前記地図表示手段で地図が表示されているディスプレイ領域が予め分割されて成る複数の領域のうち、1以上の領域をユーザ操作に応じて指示する指示手段とを備え、
前記指示手段は、前記ユーザ操作が指示する方向に応じて、現在指示している領域に代わって、当該領域に対して前記方向に隣接する領域を指示し、
前記選択手段は、ユーザの操作に応じて、前記指示手段で指示されている領域を選択し、
前記情報表示手段は、前記選択手段で選択された領域に表示されている地図内の位置情報と対応付けられている対応情報を、当該選択された領域に重ねて表示する
ことを特徴とする表示装置。
【請求項２】
前記選択手段で選択された領域に表示されている地図内の位置情報と対応付けられている対応情報は複数あり、
前記表示装置は、更に、外部から対応情報を切替える指示を取得する切替指示取得手段を備え、
前記情報表示手段は、前記対応情報を表示しているときに前記切替取得手段で指示を取得した場合は、前記選択手段で選択された領域に表示されている地図内の位置情報と対応付けられている他の対応情報を表示する
ことを特徴とする請求項１に記載の表示装置。
【請求項３】
前記指示手段で指示する予め分割された領域とは、前記地図表示手段で表示している地図に基づいた多角形の領域である
ことを特徴とする請求項２に記載の表示装置。
【請求項４】
前記多角形の領域とは、地図内の道路に囲まれた領域である
ことを特徴とする請求項３に記載の表示装置。
【請求項５】
前記指示手段で指示されている領域とは、前記ディスプレイ領域が格子状に分割された矩形の領域である
ことを特徴とする請求項１に記載の表示装置。
【請求項６】
前記表示装置は、更に、表示されている地図内の経路を指定する経路指定手段を備え、
前記所定の大きさの領域とは、前記経路指定手段で指定した経路で示される道路及び当該道路に沿った所定幅の領域である
ことを特徴とする請求項１に記載の表示装置。
【請求項７】
前記情報表示手段で表示する対応情報は、前記位置情報で示される位置に在る店舗の広告である
ことを特徴とする請求項１に記載の表示装置。
【請求項８】
前記選択手段は、複数の前記領域を選択し、
前記指示手段は、前記選択されたすべての領域に表示されている地図内の位置情報と対応付けられている対応情報を表示する
ことを特徴とする請求項１に記載の表示装置。
【請求項９】
地図と、当該地図内の１以上の位置情報それぞれと対応付けられている対応情報とを記憶する記憶手段を備える表示装置で用いられる表示方法であって、
前記記憶手段に記憶されている地図をディスプレイに表示する地図表示ステップと、
前記地図表示ステップで地図が表示されているディスプレイ領域が予め分割されて成る複数の領域のうち、１以上の領域をユーザ操作に応じて指示する指示ステップと、
前記地図表示ステップで地図が表示されているディスプレイ領域のうち、所定の大きさの領域を、ユーザの操作に応じて選択する選択ステップと、
前記選択ステップで選択された領域に表示されている地図内の位置情報と対応付けられている対応情報を、当該地図に重ねて表示する情報表示ステップとを含む表示方法であり、
前記指示ステップは、前記ユーザ操作が指示する方向に応じて、現在指示している領域に代わって、当該領域に対して前記方向に隣接する領域を指示し、
前記選択ステップは、ユーザの操作に応じて、前記指示ステップで指示されている領域を、前記所定の大きさの領域として選択し、
前記情報表示ステップは、前記選択ステップで選択された領域に表示されている地図内の位置情報と対応付けられている対応情報を、当該選択された領域に重ねて表示する
ことを特徴とする表示方法。
【国際調査報告】
2009041042.tif 000049
2009041042.tif 000050
2009041042.tif 000051
2009041042.tif 000052